(57)【要約】【課題】最重度の要介護者であっても容易に体位変更させることができるとともに、ストレッチャ等を使用する必要なく補助者によって容易に移動させることができる介護用移動マットを提供する。【解決手段】表が丈夫な布、裏が滑り易い布によって形成された両側開口の筒状のマットと、人間を引掛ける位置に複数個所設けられた吊下げ用ベルトとを備えた介護用移動マット。【選択図】  図４
2006181160.tif 000002
【特許請求の範囲】
【請求項１】
高強度繊維からなる筒状の表布とその内周面側に設けられた高滑性繊維からなる裏布とを有し軸方向両端が開口した筒状マットと、この筒状マットの前記表布の外周側に軸方向に間隔をあけて複数本設けられ、その各先端がそれぞれ前記マットの軸直角方向に左右対称に突出するマット回転および吊下げ用のベルトとを備えたことを特徴とする介護用移動マット。
【請求項２】
前記ベルトは、要介護者の頚部、腰部および膝部に対応する配置で３本ないし４本設けられている請求項１記載の介護用移動マット。
【請求項３】
前記各ベルトの先端がループ状に形成され、かつ前記マットの軸方向先端側の２本のベルトよりこれらの間に配置されている１本ないし２本のベルトが長く形成されている請求項２記載の介護用移動マット。
【請求項４】
前記ベルトと略平行に、前記筒状マットの表布の外周側に沿って環状配置で複数点の連結部を有する補助ベルトが設けられている請求項１記載の介護用移動マット。
【請求項５】
前記筒状マットの表布に、前記ベルトと略平行に、一点の連結部を有する補助ベルトが設けられている請求項１記載の介護用移動マット。
【請求項６】
前記ベルトと直交する方向に沿い、前記筒状マットの表布に複数点の連結部を有する補助ベルトが設けられている請求項１記載の介護用移動マット。
【発明の詳細な説明】
【技術分野】
【０００１】
本発明は身体の不自由な要介護者、特に寝たきりの患者や老人等で自力によっては姿勢変化が困難な人の移動に際し、その姿勢変化および移動等を補助者によって容易に行える介護用移動マットに関するものである。
【背景技術】
【０００２】
寝たきりの病院患者や自宅療養者、あるいは老人等のように、布団やベッド上で自力によっては姿勢変化が困難な要介護者に対し、例えば仰臥位または側臥位から他の姿勢へ変化することを補助する種々の体位変換器が適用されている。
【０００３】
この体位変換器は、例えばベッド上での定位置における姿勢変化や、ベッドと移動器具であるストレッチャ等との乗り換え移動等を容易に行うため、要介護者の身体の下に空気パッド等を挿入し、てこ、空気圧、その他の動力を用いることにより、仰臥位から側臥位への体位の変換を行う構成となっている。
【０００４】
従来、この種の体位変換器として、例えば軟弾性材製の素材にて扁平自在な筒状の芯材を形成し、この芯材の内面を滑り性の良い内周被覆布で被覆することにより筒状マットを形成し、この筒状マットをその上に要介護者を乗せた状態で回転させることにより、仰臥位から側臥位への体位変換またはその逆の体位変換を容易に行うことができるようにした移動用マットが提案されている（例えば、特許文献１，２参照）。
【０００５】
また、上述した移動用マットを水平面上に平坦に配置した状態でその上面および底面側の略中央位置にタグバンドを互い違いの方向に接続しておき、そのタグバンドを引くことによって移動用マットの回転を容易に行えるようにすることも提案されている（例えば、特許文献３参照）。
【０００６】
このような従来の移動、移乗、体位変換機能を得るための体位変換器を使用する場合には、例えばベッド上に臥している要介護者の身体の下へ挿入する際、要看護者を仰臥位の状態から側臥位の状態に補助者により姿勢変更させ、この状態で扁平状態にした筒状の体位変換器の約半分を要看護者の下に挿入する。その後、元の仰臥位に戻して体位変換器上に乗る状態で姿勢を整える。そして、筒状の体位変換器を介護人の引張り作用等によって回転させて要介護者を側方に移動させ、ストレッチャ等に乗り換え移動させる。タグバンドを有する構成の体位変換器にあっては、タグバンドを引張ることにより、ストレッチャの上端を乗り越えるようにする。
【０００７】
【特許文献１】特開平１０−１７９６４２号公報
【特許文献２】特開２００３−２４５３１６号公報
【特許文献３】特許第３４１０２０４号公報
【発明の開示】
【発明が解決しようとする課題】
【０００８】
上記の特許文献１，２の技術では、筒状マットに回転を促進する手段がない。このため、ベッド上に臥す要介護者の身体の下方に筒状マットを挿入する操作、あるいは筒状マット上に載せた状態の要介護者から筒状マットを引出す際の回転操作が必ずしも円滑に行なえない。比較的軽度の要介護者の場合には、体位変換をある程度容易に行えるが、重度の要介護者で体位変換困難な人に対しては、上記各操作が困難となる。
【０００９】
また、従来の体位変換器これらの技術では、要看護者の体位変換に伴う数ｃｍ程度の横移動しか付与することができず、ベッドに隣接配置したストレッチャ等への乗り換え移動程度の機能しか有しない。このため、緊急時または何らかの事情により、ストレッチャ等を用いることなく補助者自身によって要看護者を他の場所に移動させたい場合でも、ベッドから離間した位置へ移動させることが困難である。
【００１０】
一方、特許文献３の技術では、筒状マットにタグバンドを設け、このタグバンドを引張ることにより、ストレッチャの上端のフレームを乗り越える構成としているが、フレームを乗り越える際のクッション機能を得るために筒状マットの肉厚を大とし、その内部に空気室等を形成している。このため、要介護者の身体の下方に筒状マットを挿入する操作や筒状マット上に載せた状態の要介護者から筒状マットを引出す際の回転操作に際し、要介護者の体位変換の度合を一層大きく必要とする。このため、体位変換困難な重度の要介護者への適用が殆ど行えない。
【００１１】
このように、従来の体位変換器は仰臥位および側臥位を比較的容易に変化できる軽度の要看護者にしか適用できず、仰臥位および側臥位の変化が困難な重度の要看護者には適用が困難である。
【００１２】
上下肢の異常な変型拘縮、腹膜炎による腹部の異常膨張、癌による両下肢の異常なむくみ等のある要看護者は、上述した体位変換自体が困難であり、単なる体位変換のみによるストレッチャ等への乗り換え移動用の器具では必要な場所への移動が非常に困難である。
【００１３】
本発明は以上の事情に鑑みてなされたものであり、要介護者に大幅な体位変更を必要とすることなく装着および離脱することができ、最重度の要介護者等であっても容易かつ安全に横移動させることができ、しかもストレッチャ等を使用する必要なく補助者等によって要介護者をベッド等の外部に容易に移動させることができる介護用移動マットを提供することを目的とする。
【課題を解決するための手段】
【００１４】
前記の目的を達成するために、請求項１の発明では、外周面側に高強度の表布が設けられ、内周面側に高滑性の裏布が設けられた軸方向両端開口の筒状マットと、この筒状マットの前記表布の軸方向に間隔をあけて複数本設けられ、その各先端がそれぞれ前記マットの軸直角方向に左右対称に突出するマット回転および吊下げ用のベルトとを備えたことを特徴とする介護用移動マット提供する。
【００１５】
請求項２の発明では、前記ベルトが、要介護者の頚部、腰部および膝部に対応する配置で３本ないし４本設けられている介護用移動マットを提供する。
【００１６】
請求項３の発明では、前記各ベルトの先端がループ状に形成され、かつ前記マットの軸方向先端側の２本のベルトよりこれらの間に配置されている１本ないし２本のベルトが長く形成されている介護用移動マットを提供する。
【００１７】
請求項４の発明では、前記ベルトと略平行に、前記筒状マットの表布の外周側に沿って環状配置で複数点の連結部を有する補助ベルトが設けられている介護用移動マットを提供する。
【００１８】
請求項５の発明では、前記ベルトと略平行に、前記筒状マットの表布に一点の連結部を有する補助ベルトが設けられている介護用移動マットを提供する。
【００１９】
請求項６の発明では、前記ベルトと直交する方向に沿い、前記筒状マットの表布に複数点の連結部を有する補助ベルトが設けられている介護用移動マットを提供する。
【発明の効果】
【００２０】
本発明によれば、筒状マットの表布の略同軸上に間隔をあけて複数本軸直角方向両側に向ってマット回転および吊下げ用のベルトを設け、各ベルトの各先端がそれぞれマットの外方に向って左右対称に突出する構成としたので、このベルトを使用してマットの回転および吊下げを容易に行える。したがって、要介護者に大幅な体位変更を必要とすることなく装着および離脱することができ、最重度の要介護者等であっても容易かつ安全に横移動させることができる。しかも、ストレッチャ等を使用する必要なく補助者等によって要介護者をベッド等の外部に容易に移動させることができる。
【発明を実施するための最良の形態】
【００２１】
以下、本発明に係る介護用移動マットの実施形態について図面を参照して説明する。
［第１実施形態（図１〜図１３）］
図１は、本発明の第１実施形態による介護用移動マット１０の筒状マット１１を構成する材料要素を示している。この図１に示すように、筒状マット１１は、その外周面側を構成する矩形状の表布１２を有する。この表布１２の縦寸法ｙ１は、人間の大人の背丈以上とされ、横幅ｘ１は、二重に折り畳んだ状態で大人の体幅を下方から両側方に十分包みこむことができる幅に設定されている。この表布１２は、大人の体重を十分に支持することができるように、引張り荷重、摩擦等に対する高強度を有する十分に丈夫な材料、例えばポリエステルにより構成されている。また、筒状マット１１は、その内周面側に設けられる矩形状の裏布１３を有している。この裏布１３は表布１２と周縁を一致させて重合し得る同一形状、同一面積とされており、この裏布１３は、滑り易い高滑性材料、例えばナイロンにより構成されている。
【００２２】
表布１２と裏布１３とは、これらの間に図示省略の綿等のクッション材を挟持させて例えばキルティング状に縫着されて１枚のシートに構成された後、幅方向両端が縫合され、軸方向両端が開口する筒状に形成される。これにより、柔軟かつ弾性のある緩衝機能付きの筒状マットとしての内外壁が構成される。このように、裏布１３が表布１２との縫合によって筒状に構成され、使用時に筒状マット１１が扁平形状に変形し、その上に荷重がかかった状態でスライドする場合には、裏布１３同士が重合し、摺動する。本実施形態では、裏布１３を滑りのよいナイロンで構成することにより摺動抵抗を低減し、相互に滑り易い構成となっている。
【００２３】
図２は、図１に示した表布１２と裏布１３とが縫着されて一体化された介護用移動マット１０の主体部分としての筒状マット１１の構成、およびその筒状マット１１の外周面側に接合されるマット回転および吊下げ用ベルトの構成を示している。なお、本実施形態では、３本のベルト１４，２０，２６が筒状マット１１の軸方向に沿って同軸上で間隔をあけて配設されている。
【００２４】
第１のベルト１４は筒状マット１１における要介護者の頚部を支持する高さ部位に配置されるものであり、高引張り強度を有する材料、例えば綿を素材としており、要介護者の重量を十分に支持できる強度を発揮する幅および厚さを有する平坦な角帯状に構成されている。この第１のベルト１４は、長さ方向両先端側をそれぞれ略１／４長さ部位で折り返すことにより、平坦面が同一となる形状の平行な２本構成とされている。これにより、ベルト１４の一方の部分は１本の長尺部１５とされ、この長尺部１５の一端側の端部１６で折り返された他方のベルト部分は、長尺部１５の１／２長さの第１短尺部１７とされ、さらに長尺部１５の他端側の端部１８で折り返された反対側のベルト部分も、長尺部１５の１／２長さの第２短尺部１９とされている。また、ベルト１４の一方の端部１６は、長尺部１５と短尺部１７との平坦面を一致させる状態でループ状に折曲げられている。この折曲げにより、端部１６のループ状の平坦面が長尺部１５および短尺部１７の平坦面に対して略直角に捩れた平坦面となっている。この捩れた端部１６のループ状の平坦面には、ベルト１４の長さ方向に沿う引張り力を付与する場合に、補助者の手を挿入して把持する面が引張り方向に直交する状態となるため把持作用が具合よく行われる。同様に、ベルト１４の他方の端部１８も長尺部１５と短尺部１８との平坦面を一致させる状態でループ状に折曲げられている。この折曲げにより、端部１８のループ状の平坦面が長尺部１５および短尺部１８の平坦面に対して略直角に捩れた平坦面となっている。この捩れた端部１８のループ状の平坦面には、ベルト１４の長さ方向に沿う引張り力を付与する場合に、補助者の手を挿入して把持する面が引張り方向に直交する状態であるため把持作用が具合よく行われる。
【００２５】
第２のベルト２０は筒状マット１１における要介護者の腰部を支持する高さ部位に配置されるものであり、第１のベルト１４と同様に高引張り強度を有する材料、例えば綿を素材としており、要介護者の重量を十分に支持できる強度をもつ幅および厚さの平坦な角帯状に構成されている。この第２のベルト２０も、長さ方向の両先端側をそれぞれ略１／４長さ部位で折り返すことにより、平坦面が同一となる形状の平行な２本構成とされている。これにより、一方のベルト部分は１本の長尺部２１とされ、この長尺部２１の一端側の端部２２で折り返された他方のベルト部分は、長尺部２１の１／２長さの第１短尺部２３とされ、さらに長尺部２１の他端側の端部２４で折り返された反対側のベルト部分も、長尺部２１の１／２長さの第２短尺部２５とされている。また、ベルト２０の一方の端部２２は、長尺部２１と短尺部２３との平坦面を一致させる状態でループ状に折曲げられている。この折曲げにより、端部２４のループ状の平坦面が長尺部２１および短尺部２５の平坦面に対して略直角に捩れた平坦面となっている。この捩れた端部２４のループ状の平坦面には、ベルト２０の長さ方向に沿う引張り力を付与する場合に、補助者の手を挿入して把持する面が引張り方向に直交する状態であるため把持作用が具合よく行われる。この捩れた端部２４のループ状の平坦面には、ベルト２０の長さ方向に沿う引張り力を付与する場合に、補助者の手を挿入して把持する面が引張り方向に直交する状態であるため把持作用が具合よく行われる。
【００２６】
第３のベルト２６は筒状マット１１における要介護者の膝部を支持する高さ部位に配置されるものであり、第１のベルト１４および第２のベルト２０と同様に高引張り強度を有する材料、例えば綿を素材としており、要介護者の重量を十分に支持できる強度をもつ幅および厚さの平坦な角帯状に構成されている。この第３のベルト２６も、長さ方向の両先端側をそれぞれ略１／４長さ部位で折り返すことにより、平坦面が同一となる形状の平行な２本構成とされている。これにより、一方のベルト部分は１本の長尺部２７とされ、この長尺部２７の一端側の端部２８で折り返された他方のベルト部分は、長尺部２７の１／２長さの第１短尺部２９とされ、さらに長尺部２７の他端側の端部３０で折り返された反対側のベルト部分も、長尺部２６の１／２長さの第２短尺部３１とされている。また、ベルト２６の一方の端部２８は、長尺部２７と短尺部２９との平坦面を一致させる状態でループ状に折曲げられている。この折曲げにより、端部３０のループ状の平坦面が長尺部２７および短尺部３１の平坦面に対して略直角に捩れた平坦面となっている。この捩れた端部３０のループ状の平坦面には、ベルト２０の長さ方向に沿う引張り力を付与する場合に、補助者の手を挿入して把持する面が引張り方向に直交する状態であるため把持作用が具合よく行われる。この捩れた端部３０のループ状の平坦面には、ベルト２６の長さ方向に沿う引張り力を付与する場合に、補助者の手を挿入して把持する面が引張り方向に直交する状態であるため把持作用が具合よく行われる。
【００２７】
図３は、第１のベルト１４、第２のベルト２０および第３のベルト２６を筒状マット１１に取付けた構成を示している。この図３に示すように、第１のベルト１４においては、長尺部１５の長さ方向略１／３毎に位置する２ヶ所の部分が、筒状マット１１の表布１２側に接合部３２，３３として縫着されている。また、この第１のベルト１４の一方の短尺部１７においても、長尺部１５の長さ方向略１／３に位置する１ヶ所の部分と先端部とが接合部３４，３５として縫着されている。また、第１のベルト１４の他方の短尺部１９においても、長尺部１５の長さ方向略１／３に位置する１ヶ所の部分と先端部とを接合部３６，３７として縫着されている。
【００２８】
また、第２のベルト２０においても、第１のベルト１４と同様に長尺部２１の長さ方向略１／３毎に位置する２ヶ所の部分が、筒状マット１１の表布１２側に接合部３８，３９として縫着されている。また、この第２のベルト２０の一方の短尺部２３においても、長尺部２１の長さ方向略１／３に位置する１ヶ所の部分と先端部とが接合部４０，４１として縫着されている。また、第２のベルト２０の他方の短尺部２５においても、長尺部２１の長さ方向略１／３に位置する１ヶ所の部分と先端部とを接合部４２，４３として縫着されている。
【００２９】
さらに、第３のベルト２６においても、第１、第２のベルト１４、２０と同様に長尺部２７の長さ方向略１／３毎に位置する２ヶ所の部分が、筒状マット１１の表布１２側に接合部４４，４５として縫着されている。また、この第３のベルト２６の一方の短尺部２９においても、長尺部２７の長さ方向略１／３に位置する１ヶ所の部分と先端部とが接合部４６，４７として縫着されている。また、第３のベルト２６の他方の短尺部３１においても、長尺部２７の長さ方向略１／３に位置する１ヶ所の部分と先端部とを接合部４８，４９として縫着されている。
【００３０】
図４は、第１のベルト１４、第２のベルト２０および第３のベルト２６を平坦状態の筒状マット１１に縫着接合した後、この筒状マット１１を幅方向に湾曲させて両端を縫着により接合して筒状に形成した状態を示している。この図４に示したように、筒状に形成された筒状マット１１の軸方向両端には開口部５３，５４が形成されている。本実施形態では、図４右上に示した一方の開口部５３側が要介護者の頭部側（上側）となり、図４左下に示した他方の開口部５４側が要介護者の脚部側（下側）となる。すなわち、筒状マット１１の軸方向が要介護者の上下方向となる。なお、図４においては、筒状マット１１の下面側に各ベルト１４，２０，２６が配置されている。この状態が後述する要介護者を仰臥位で載せる際の使用状態を示しており、要介護者は筒状マット１１の軸方向に上下方向を一致させて載ることになる。
【００３１】
この図４に示すように、本実施形態では、外周面側に高強度の表布１２が設けられ、内周面側に高滑性の裏布１３が設けられた軸方向両端開口の筒状マット１１が構成される。そして、この筒状マット１１の表布１２の略同軸上に間隔をあけて３本のマット回転および吊下げ用のベルト１４，２０，２６が筒状マット１１の軸直角方向両側に向って設けられる。また、ベルト１４，２０，２６の各先端は、それぞれ筒状マット１１の外方に向って左右対称に突出する。また、ベルト１４，２０，２６は、要介護者の頚部、腰部および膝部に対応する配置で３本設けられている。さらに、図４に示すように、各ベルト１４，２０，２６の先端は、それぞれループ状に形成され、かつ筒状マット１１の軸方向先端側の２本（第１、第３のベルト１４、２６）より、これらの間に配置されている１本（第２のベルト２０）が長く形成されている。
【００３２】
図５は、筒状マット１１を図４の状態から上下逆として示したものである。この図５により明確に示されるように、第１のベルト１４の両端部側には、最も端部側に接近している接合部３２，３３，３４，３６から筒状マット１１の側縁位置までの間に、このベルト１４を端部側に引張った場合に、その引張り方向に向って筒状マット１１が回転し得る十分な余裕が設定されている。第２のベルト２０についても、その両端部側に、最も端部側に接近している接合部３８，３９，４０，４２から筒状マット１１の側縁位置までの間に、このベルト２０を端部側に引張った場合に、その引張り方向に向って筒状マット１１が第１のベルト１４と略同程度の回転がなし得る十分な余裕が設定されている。さらに、第３のベルト２６についても、その両端部側に、最も端部側に接近している接合部４４，４５，４６，４８から筒状マット１１の側縁位置までの間に、このベルト２６を端部側に引張った場合に、その引張り方向に向って筒状マット１１が第１，第２のベルト１４，２０と略同程度の回転がなし得る十分な余裕が設定されている。
【００３３】
図６は、以上の構成を有する本実施形態による介護用移動マット１０の筒状マット１１に要介護者５０を載せて移動する状態を示している。なお、この図６の例では補助者の図示を省略しているが、補助者は例えば３名により、第１のベルト１４の両先端（把持部）１６，１８と、第２のベルト２０の両先端（把持部）２２，２４と、第３のベルト２６の両先端（把持部）２８，３０とを、それぞれ把持して、要介護者５０を載せて移動することができる。
【００３４】
図７は、例えば２名の補助者により、要介護者５０を筒状マット１１に載せて移動する状態を例示している。この場合には、１名の補助者が第１のベルト１４の両先端（把持部）１６，１８を把持し、他の１名の補助者が第３のベルト２６の両先端（把持部）２８，３０把持する。第１、第３のベルト１４、２６間に配置されている第２のベルト２０は、上述したように第１、第３のベルト１４、２６よりも長い構成とし、かつ両先端（把持部）２２，２４をループ状に形成しているため、この図７に示すように、第２のベルト２０の両先端（把持部）２２，２４のいずれかを他方に挿入する等、相互に上方にて係合止着することができる。
【００３５】
図８〜図１３は、ベッド５１のベッド床５２上から要介護者５０を他の場所に移動する場合の作用、および要介護者５０を他の場所からベッド床５２上に移動する場合の作用についての説明図である。
【００３６】
まず、要介護者５０をベッド床５２上から他の場所に移動する場合の作用について説明する。この場合には、ベッド床５２上に例えば仰臥位で横たわっている要介護者５０に対し、本実施形態の筒状マット１１をベッド床５２と要介護者５０との間に挿入する必要がある。
【００３７】
この際、まず図４に示したように、ベルト１４，２０，２６が筒状マット１１の下方にある状態において、要介護者５０の頭部側が搭載される筒状マット１１の上部側（開口部５３側）から、脚部側が搭載される筒状マット１１の下部側（開口部５４側）に向けて、この筒状マット１１を下向きに巻回しておく。この場合、本実施形態の筒状マット１１は表布１２と裏布１３との間に綿等のクッション材を挟持させてキルティング状に縫着した構成であることから、コンパクトな形に巻くことができる。そこで、この、コンパクトな巻回状態の筒状マット１１を、初めに要介護者５０の膝下に挿入し、その後、筒状マット１１の上部側をベッド床５２に沿って要介護者５０の腰部へ、次に頚部へと、巻回状態を次第に解除しながら展開してゆく。また、筒状マット１１の下部側は脚の方へと展開してゆく。以上の作用により、筒状マット１１をベッド床５２と要介護者５０との間に挿入することができる。
【００３８】
図８および図９は、このような作用によって要介護者５０の下に筒状マット１１を配置した状態を示している。本実施形態では、筒状マット１１をコンパクトな形に巻くことができるので、要介護者５０の仰臥位を側臥位に転換する必要がない。したがって、要介護者５０に大幅な体位変更を要求することなく、要介護者５０を筒状マット１１上に載せることができる。この後は、図６または図７に示したように、補助者が第１のベルト１４、第２のベルト２０および第３のベルト２６等を把持して持上げることにより、要介護者５０を移動させることができる。したがって、最重度の要介護者等であっても容易かつ安全に横移動させることができ、しかもストレッチャ等を使用する必要なく補助者によって要介護者５０をベッド等の外部に容易に、かつ安全に移動させることができる
一方、逆に外部からベッド５１のベッド床５２上に要介護者５０を移動させる場合には、図６、図７等の状態で外部からベッド５１まで要介護者５０を移動させた後、図８および図９に示したように、要介護者５０が載ったまま、一旦筒状マット１１をベッド５１上に置く。この場合、各ベルト１４，２０，２６が筒状マット１１の下面側にある状態となっている。そこで、補助者は筒状マット１１の横方向に突出しているベルト１４、２０、２６の各片側を把持して、筒状マット１１の横方向に向けて引張る。これにより、筒状マット１１の下側部分が引張り方向に向って回転するので、図１０および図１１に示すように、筒状マット１１が各ベルト１４、２０、２６の引寄せ端部側に移動する。この場合、本実施形態では筒状マット１１の裏布１３が高滑性の滑り易い材料、例えばナイロンにより構成されているので、筒状マット１１が扁平に変形した状態でも裏布１３同士の重合面の摩擦抵抗小さく、容易に回転させることができる。そして、本実施形態では、筒状マット１１の回転引き抜き方向と反対側の縁部が要介護者５０の身体の略中央部位まで達するので、その後は筒状マット１１を容易に引き抜いて、図１２および図１３に示すように、外部に取外すことができる。
【００３９】
したがって、本実施形態によれば、要介護者に大幅な体位変更を必要とすることなく装着および離脱することができ、最重度の要介護者等であっても容易かつ安全に横移動させることができる。しかも、ストレッチャ等を使用する必要なく補助者等によって要介護者をベッド等の外部に容易に移動させることができる。［第２実施形態（図１４、図１５）］
本実施形態では、ベルトが要介護者の頚部、腰部および膝部等に対応する配置で４本設けられた介護用移動マットについて説明する。なお、本実施形態の説明には主として図１４および図１５を参照するが、関連する構成については図１〜図１３も参照する。図１〜図１３を参照本する場合には、これらの図に示した数字に「１００」を加えた数字を使用する。
【００４０】
図１４、図１５および図１に示すように、本実施形態の介護用移動マット１１０は、その外周面側を構成する矩形状の表布１１２を有する。この表布１１２の縦寸法ｙ１は、人間の大人の背丈以上とされ、横幅ｘ１は、二重に折り畳んだ状態で大人の体幅を下方から両側方に十分包みこむことができる幅に設定されている。この表布１１２は、大人の体重を十分に支持することができるように、引張り荷重、摩擦等に対する高強度を有する十分に丈夫な材料、例えばポリエステルにより構成されている。また、筒状マット１１１は、その内周面側に設けられる矩形状の裏布１１３を有している。この裏布１１３は表布１１２と周縁を一致させて重合し得る同一形状、同一面積とされており、この裏布１１３は、滑り易い高滑性材料、例えばナイロンにより構成されている。
【００４１】
表布１１２と裏布１１３とは、これらの間に図示省略の綿等のクッション材を挟持させて例えばキルティング状に縫着されて１枚のシートに構成された後、幅方向両端が縫合され、軸方向両端が開口する筒状に形成される。これにより、柔軟かつ弾性のある緩衝機能付きの筒状マットとしての内外壁が構成される。このように、裏布１１３が表布１１２との縫合によって筒状に構成され、使用時に筒状マット１１１が扁平形状に変形し、その上に荷重がかかった状態でスライドする場合には、裏布１１３同士が重合し、摺動する。本実施形態では、裏布１１３を滑りのよいナイロンで構成することにより摺動抵抗を低減し、相互に滑り易い構成となっている。
【００４２】
図１４（図２参照）は、図１に示した表布１１２と裏布１１３とが縫着されて一体化された介護用移動マット１１０の主体部分としての筒状マット１１１の構成、およびその筒状マット１１１の外周面側に接合されるマット回転および吊下げ用ベルトの構成を示している。なお、本実施形態では、４本のベルト１１４，１２０，１６０，１２６が筒状マット１１１の軸方向に沿って同軸上で間隔をあけて配設されている。
【００４３】
第１のベルト１１４は筒状マット１１１における要介護者の頚部を支持する高さ部位に配置されるものであり、高引張り強度を有する材料、例えば綿を素材としており、要介護者の重量を十分に支持できる強度をもつ幅および厚さの平坦な角帯状に構成されている。この第１のベルト１１４は、長さ方向の両先端側をそれぞれ略１／４長さ部位で折り返すことにより、平坦面が同一となる形状の平行な２本構成とされている。これにより、一方のベルト部分は１本の長尺部１１５とされ、この長尺部１１５の一端側の端部１１６で折り返された他方のベルト部分は、長尺部１１５の１／２長さの第１短尺部１１７とされ、さらに長尺部１１５の他端側の端部１１８で折り返された反対側のベルト部分も、長尺部１１５の１／２長さの第１短尺部１１９とされている。また、ベルト１１４の一方の端部１１６は、長尺部１１５と短尺部１１７との平坦面を一致させる状態でループ状に折曲げられている。この折曲げにより、端部１１６のループ状の平坦面が長尺部１１５および短尺部１１７の平坦面に対して略直角に捩れた平坦面となっている。この捩れた端部１１６のループ状の平坦面には、ベルト１１４の長さ方向に沿う引張り力を付与する場合に、補助者の手を挿入して把持する面が引張り方向に直交する状態であるため把持作用が具合よく行われる。同様に、ベルト１１４の他方の端部１１８も長尺部１１５と短尺部１１８との平坦面を一致させる状態でループ状に折曲げられている。この折曲げにより、端部１８のループ状の平坦面が長尺部１１５および短尺部１１８の平坦面に対して略直角に捩れた平坦面となっている。この捩れた端部１１８のループ状の平坦面には、ベルト１１４の長さ方向に沿う引張り力を付与する場合に、補助者の手を挿入して把持する面が引張り方向に直交する状態であるため把持作用が具合よく行われる。
【００４４】
第２のベルト１２０は筒状マット１１１における要介護者の腰部上方を支持する高さ部位に配置されるものであり、第１のベルト１１４と同様に高引張り強度を有する材料、例えば綿を素材としており、要介護者の重量を十分に支持できる強度をもつ幅および厚さの平坦な角帯状に構成されている。この第２のベルト１２０も、長さ方向の両先端側をそれぞれ略１／４長さ部位で折り返すことにより、平坦面が同一となる形状の平行な２本構成とされている。これにより、一方のベルト部分は１本の長尺部１２１とされ、この長尺部１２１の一端側の端部１２２で折り返された他方のベルト部分は、長尺部１２１の１／２長さの第１短尺部１２３とされ、さらに長尺部１２１の他端側の端部１２４で折り返された反対側のベルト部分も、長尺部１２１の１／２長さの第２短尺部１２５とされている。また、ベルト１２０の一方の端部１２２は、長尺部１２１と短尺部１２３との平坦面を一致させる状態でループ状に折曲げられている。この折曲げにより、端部１２４のループ状の平坦面が長尺部１２１および短尺部１２５の平坦面に対して略直角に捩れた平坦面となっている。この捩れた端部１２４のループ状の平坦面には、ベルト１２０の長さ方向に沿う引張り力を付与する場合に、補助者の手を挿入して把持する面が引張り方向に直交する状態であるため把持作用が具合よく行われる。この捩れた端部１２４のループ状の平坦面には、ベルト１２０の長さ方向に沿う引張り力を付与する場合に、補助者の手を挿入して把持する面が引張り方向に直交する状態であるため把持作用が具合よく行われる。
【００４５】
第３のベルトは、筒状マット１１１における要介護者の腰部を支持する高さ部位に配置されるものであり、第１のベルト１１４と同様に高引張り強度を有する材料、例えば綿を素材としており、要介護者の重量を十分に支持できる強度をもつ幅および厚さの平坦な角帯状に構成されている。この第３のベルト１６０も、長さ方向の両先端側をそれぞれ略１／４長さ部位で折り返すことにより、平坦面が同一となる形状の平行な２本構成とされている。これにより、一方のベルト部分は１本の長尺部１６１とされ、この長尺部１６１の一端側の端部１６２で折り返された他方のベルト部分は、長尺部１６１の１／２長さの第１短尺部１６３とされ、さらに長尺部１６１の他端側の端部１６４で折り返された反対側のベルト部分も、長尺部１６１の１／２長さの第２短尺部１６５とされている。また、ベルト１６０の一方の端部１６２は、長尺部１６１と短尺部１６３との平坦面を一致させる状態でループ状に折曲げられている。この折曲げにより、端部１６４のループ状の平坦面が長尺部１６１および短尺部１６５の平坦面に対して略直角に捩れた平坦面となっている。この捩れた端部１６４のループ状の平坦面には、ベルト１６０の長さ方向に沿う引張り力を付与する場合に、補助者の手を挿入して把持する面が引張り方向に直交する状態であるため把持作用が具合よく行われる。この捩れた端部１６４のループ状の平坦面には、ベルト１６０の長さ方向に沿う引張り力を付与する場合に、補助者の手を挿入して把持する面が引張り方向に直交する状態であるため把持作用が具合よく行われる。
【００４６】
第４のベルト１２６は筒状マット１１１における要介護者の膝部を支持する高さ部位に配置されるものであり、第１のベルト１１４および第２のベルト１２０と同様に高引張り強度を有する材料、例えば綿を素材としており、要介護者の重量を十分に支持できる強度をもつ幅および厚さの平坦な角帯状に構成されている。この第４のベルト１２６も、長さ方向の両先端側をそれぞれ略１／４長さ部位で折り返すことにより、平坦面が同一となる形状の平行な２本構成とされている。これにより、一方のベルト部分は１本の長尺部１２７とされ、この長尺部１２７の一端側の端部１２８で折り返された他方のベルト部分は、長尺部１２７の１／２長さの第１短尺部１２９とされ、さらに長尺部１２７の他端側の端部１３０で折り返された反対側のベルト部分も、長尺部１２６の１／２長さの第２短尺部１３１とされている。また、ベルト１２６の一方の端部１２８は、長尺部１２７と短尺部１２９との平坦面を一致させる状態でループ状に折曲げられている。この折曲げにより、端部１３０のループ状の平坦面が長尺部１２７および短尺部１３１の平坦面に対して略直角に捩れた平坦面となっている。この捩れた端部１３０のループ状の平坦面には、ベルト１２６の長さ方向に沿う引張り力を付与する場合に、補助者の手を挿入して把持する面が引張り方向に直交する状態であるため把持作用が具合よく行われる。この捩れた端部１３０のループ状の平坦面には、ベルト１２６の長さ方向に沿う引張り力を付与する場合に、補助者の手を挿入して把持する面が引張り方向に直交する状態であるため把持作用が具合よく行われる。
【００４７】
また、図１４（図３参照）には、第１のベルト１１４、第２のベルト１２０、第３のベルト１６０および第４のベルト１２６を、筒状マット１１１に取付けた構成が示されている。これらの図に示すように、第１のベルト１１４においては、長尺部１１５の長さ方向略１／３毎に位置する２ヶ所の部分が、筒状マット１１１の表布１１２側に接合部１３２，１３３として縫着されている。また、この第１のベルト１１４の一方の短尺部１１７においても、長尺部１１５の長さ方向略１／３に位置する１ヶ所の部分と先端部とが接合部１３４，１３５として縫着されている。また、第１のベルト１１４の他方の短尺部１１９においても、長尺部１１５の長さ方向略１／３に位置する１ヶ所の部分と先端部とを接合部１３６，１３７として縫着されている。
【００４８】
また、第２のベルト１２０においても、第１のベルト１１４と同様に長尺部１２１の長さ方向略１／３毎に位置する２ヶ所の部分が、筒状マット１１１の表布１１２側に接合部１３８，１３９として縫着されている。また、この第２のベルト１２０の一方の短尺部１２３においても、長尺部１２１の長さ方向略１／３に位置する１ヶ所の部分と先端部とが接合部１４０，１４１として縫着されている。また、第２のベルト１２０の他方の短尺部１２５においても、長尺部１２１の長さ方向略１／３に位置する１ヶ所の部分と先端部とを接合部１４２，１４３として縫着されている。
【００４９】
また、第３のベルト１６０においても、第１のベルト１１４と同様に長尺部１６１の長さ方向略１／３毎に位置する２ヶ所の部分が、筒状マット１１１の表布１１２側に接合部１６６，１６７として縫着されている。また、この第３のベルト１６０の一方の短尺部１６５においても、長尺部１６２の長さ方向略１／３に位置する１ヶ所の部分と先端部とが接合部１６８，１６９として縫着されている。また、第３のベルト１６０の他方の短尺部１６３においても、長尺部１６２の長さ方向略１／３に位置する１ヶ所の部分と先端部とを接合部１７０，１７１として縫着されている。
【００５０】
さらに、第４のベルト１２６においても、第１、第２、第３のベルト１１４、１２０、１６０と同様に長尺部１２７の長さ方向略１／３毎に位置する２ヶ所の部分が、筒状マット１１１の表布１１２側に接合部１４４，１４５として縫着されている。また、この第４のベルト１２６の一方の短尺部１２９においても、長尺部１２７の長さ方向略１／３に位置する１ヶ所の部分と先端部とが接合部１４６，１４７として縫着されている。また、第４のベルト１２６の他方の短尺部１３１においても、長尺部１２７の長さ方向略１／３に位置する１ヶ所の部分と先端部とを接合部１４８，１４９として縫着されている。
【００５１】
図１４には、さらに第１のベルト１１４、第２のベルト１２０および第３のベルト１２６を平坦状態の筒状マット１１１に縫着接合した後、この筒状マット１１１を幅方向に湾曲させて両端を縫着により接合して筒状に形成した状態を示している。この図１４に示したように、筒状に形成された筒状マット１１１の軸方向両端には開口部１５３，１５４が形成されている。本実施形態では、図１４右上に示した一方の開口部１５３側が要介護者の頭部側（上側）となり、図１４左下に示した他方の開口部１５４側が要介護者の脚部側（下側）となる。すなわち、筒状マット１１１の軸方向が要介護者の上下方向となる。なお、図１４においては、筒状マット１１１の下方に各ベルト１１４，１２０，１６０、１２６が配置されている。この状態が後述する要介護者を仰臥位で載せる際の使用状態を示しており、要介護者は筒状マット１１１の軸方向に上下方向を一致させて載ることになる。
【００５２】
また、図１４に示すように、本実施形態では、外周面側に高強度の表布１１２が設けられ、内周面側に高滑性の裏布１１３が設けられた軸方向両端開口の筒状マット１１１が構成される。そして、この筒状マット１１１の表布１１２の略同軸上に間隔をあけて４本のマット回転および吊下げ用のベルト１１４，１２０，１６０，１２６が筒状マット１１１の軸直角方向両側に向って設けられる。また、ベルト１１４，１２０，１６０，１２６の各先端は、それぞれ筒状マット１１１の外方に向って左右対称に突出する。また、ベルト１１４，１２０，１６０，１２６は、要介護者の頚部、腰部および膝部に対応する配置で４本設けられている。さらに、各ベルト１１４，１２０，１６０，１２６の先端は、それぞれループ状に形成され、かつ筒状マット１１１の軸方向先端側の２本（第１、第３のベルト１１４、１２６）より、これらの間に配置されている２本（第２、第３のベルト１２０，１６０）を例として説明する。）が長く形成されている。
【００５３】
図１５は、筒状マット１１１を図４の状態から上下逆として示したものである。この図５により明確に示されるように、第１のベルト１１４の両端部側には、最も端部側に接近している接合部１３２，１３３，１３４，１３６から筒状マット１１１の側縁位置までの間に、このベルト１１４を端部側に引張った場合に、その引張り方向に向って筒状マット１１１が回転し得る十分な余裕が設定されている。第２のベルト１２０についても、その両端部側に、最も端部側に接近している接合部１３８，１３９，１４０，１４２から筒状マット１１１の側縁位置までの間に、このベルト１２０を端部側に引張った場合に、その引張り方向に向って筒状マット１１１が第１のベルト１１４と略同程度の回転がなし得る十分な余裕が設定されている。さらに、第３のベルト１６０についても、その両端部側に、最も端部側に接近している接合部１６６，１６７，１６８，１７０から筒状マット１１１の側縁位置までの間に、このベルト１６０を端部側に引張った場合に、その引張り方向に向って筒状マット１１１が第１，第２のベルト１１４，１２０と略同程度の回転がなし得る十分な余裕が設定されている。第４のベルト１２６についても、その両端部側に、最も端部側に接近している接合部１４４，１４５，１４６，１４８から筒状マット１１１の側縁位置までの間に、このベルト１２６を端部側に引張った場合に、その引張り方向に向って筒状マット１１１が第１，第２，第３のベルト１１４，１２０，１６０と略同程度の回転がなし得る十分な余裕が設定されている。
【００５４】
図１４（および図６）を参照して、以上の構成を有する本実施形態による介護用移動マット１１０の筒状マット１１１に要介護者５０を載せて移動する作用を説明する。なお、これらの図には補助者の図示が省略されているが、補助者は例えば２〜４名により、第１のベルト１１４の両先端（把持部）１１６，１１８と、第２のベルト１２０の両先端（把持部）１２２，１２４と、第３のベルト１６０の両先端（把持部）１１６２，１６４と、第４のベルト１２６の両先端（把持部）１２８，１３０とを、それぞれ把持して、要介護者５０を載せて移動することができる。
【００５５】
図７には、例えば２名の補助者により、要介護者５０を筒状マット１１１に載せて移動する状態を例示している。この場合には、１名の補助者が第１のベルト１１４の両先端（把持部）１１６，１１８を把持し、他の１名の補助者が第４のベルト１２６の両先端（把持部）１２８，１３０把持する。第１、第３のベルト１１４、１２６間に配置されている第２，第３のベルト１２０，１６０は、上述したように第１、第４のベルト１１４、１２６よりも長い構成とし、かつ両先端（把持部）１２１，１２４をループ状に形成しているため、この図７に示すように、第２のベルト１２０の両先端（把持部）１２２，１２４のいずれか一方を他方に挿入し、また第３のベルト１６０の両先端（把持部）１６２，１６４のいずれかを他方に挿入する等、相互に上方にて係合止着することができる。
【００５６】
以上の構成に基づき、図８〜図１３を参照して、ベッド５１のベッド床５２上から要介護者５０を他の場所に移動する場合の作用、および要介護者５０を他の場所からベッド床５２上に移動する場合の作用について説明する。
【００５７】
まず、要介護者５０をベッド床５２上から他の場所に移動する場合の作用について説明する。この場合には、ベッド床５２上に例えば仰臥位で横たわっている要介護者５０に対し、本実施形態の筒状マット１１１をベッド床５２と要介護者５０との間に挿入する必要がある。
【００５８】
この際、まずベルト１１４，１２０，１６０，２６が筒状マット１１１の下方にある状態において、要介護者５０の頭部側が搭載される筒状マット１１１の上部側（開口部１５３側）から、脚部側が搭載される筒状マット１１１の下部側（開口部１５４側）に向けて、この筒状マット１１１を下向きに巻回しておく。この場合、本実施形態の筒状マット１１１は表布１１２と裏布１１３との間に綿等のクッション材を挟持させてキルティング状に縫着した構成であることから、コンパクトな形に巻くことができる。そこで、この、コンパクトな巻回状態の筒状マット１１１を、初めに要介護者５０の膝下に挿入し、その後、筒状マット１１１の上部側をベッド床５２に沿って要介護者５０の腰部へ、次に頚部へと、巻回状態を次第に解除しながら展開してゆく。また、筒状マット１１１の下部側は脚の方へと展開してゆく。以上の作用により、筒状マット１１１をベッド床５２と要介護者５０との間に挿入することができる。
【００５９】
図８および図９は、このような作用によって要介護者５０の下に筒状マット１１１を配置した状態を示している。本実施形態では、筒状マット１１１をコンパクトな形に巻くことができるので、要介護者５０の仰臥位を側臥位に転換する等の必要がない。したがって、要介護者５０に大幅な体位変更を必要とすることなく、要介護者５０を筒状マット１１１上に載せることができる。この後は、図６または図７に示したように、補助者が第１のベルト１１４、第２のベルト１２０、第３のベルト１６０および第４のベルト１２６等を把持して持上げることにより、要介護者５０を移動させることができる。したがって、最重度の要介護者等であっても容易かつ安全に横移動させることができ、しかもストレッチャ等を使用する必要なく看護人等の補助者によって要介護者５０をベッド等の外部に容易に、かつ安全に移動させることができる
一方、逆に外部からベッド５１のベッド床５２上に要介護者５０を移動させる場合には、  図８および図９に示したように、要介護者５０が載ったまま、一旦筒状マット１１１をベッド５１上に置く。この場合、各ベルト１１４，１２０，１６０，１２６が筒状マット１１１の下方にある状態とすることが望ましい。そして、補助者は筒状マット１１１の一側方（同一方向）に配置している片側のベルト１１４、１２０、１６０および１２６を把持して、筒状マット１１１の外側に引張る。これにより、筒状マット１１１が下側部分を引寄せる方向に向って回転するので、図１０および図１１に示すように、筒状マット１１１が各ベルト１１４、１２０、１６０、１２６の引寄せ端部側に移動する。この場合、本実施形態では筒状マット１１１の裏布１１３が高滑性の滑り易い材料、例えばナイロンにより構成されているので、筒状マット１１１が扁平に変形した状態でも裏布１１３同士の重合面の摩擦抵抗小さく、容易に回転させることができる。そして、本実施形態では、筒状マット１１１の回転引き抜き方向と反対側の縁部が要介護者５０の身体の略中央部位まで達するので、その後は筒状マット１１１を容易に引き抜いて、図１２および図１３に示すように、外部に取外すことができる。
【００６０】
したがって、本実施形態によれば、要介護者に大幅な体位変更を必要とすることなく装着および離脱することができ、最重度の要介護者等であっても容易かつ安全に横移動させることができる。しかも、ストレッチャ等を使用する必要なく補助者等によって要介護者をベッド等の外部に容易に移動させることができる。また、本実施形態ではベルトを４本とし、ベルト間隔が小さい構成としたことにより、筒状マット１１１を要介護者から外す場合の抜き出し機能が高まり、操作性をより向上させることができる。また、各ベルトにかかる要介護者の重量負担の軽減も図れる。
［第３実施形態（図１〜図１３、図１６〜図１８）］
本実施形態では、筒状マットの表布の外周側に、ベルトと略平行な補助ベルトを設けた介護用移動マットについて説明する。なお、本実施形態の説明には主として図１６〜図１８図を参照するが、関連する構成については図１〜図１３も参照する。図１〜図１３を参照本する場合には、これらの図に示した数字に「２００」を加えた数字を使用する。
【００６１】
図１６（図１参照）に示すように、筒状マット２１１は、その外周面側を構成する矩形状の表布２１２を有する。この表布２１２の縦寸法ｙ１は、人間の大人の背丈以上とされ、横幅ｘ１は、二重に折り畳んだ状態で大人の体幅を下方から両側方に十分包みこむことができる幅に設定されている。この表布２１２は、大人の体重を十分に支持することができるように、引張り荷重、摩擦等に対する高強度を有する十分に丈夫な材料、例えばポリエステルにより構成されている。また、筒状マット２１１は、その内周面側に設けられる矩形状の裏布２１３を有している。この裏布２１３は表布２１２と周縁を一致させて重合し得る同一形状、同一面積とされており、この裏布２１３は、滑り易い高滑性材料、例えばナイロンにより構成されている。  表布２１２と裏布２１３とは、これらの間に図示省略の綿等のクッション材を挟持させて例えばキルティング状に縫着されて１枚のシートに構成された後、幅方向両端が縫合され、軸方向両端が開口する筒状に形成される。これにより、柔軟かつ弾性のある緩衝機能付きの筒状マットとしての内外壁が構成される。このように、裏布２１３が表布２１２との縫合によって筒状に構成され、使用時に筒状マット２１１が扁平形状に変形し、その上に荷重がかかった状態でスライドする場合には、裏布２１３同士が重合し、摺動する。本実施形態では、裏布２１３を滑りのよいナイロンで構成することにより摺動抵抗を低減し、相互に滑り易い構成となっている。
【００６２】
図１４（図２参照）は、図１に示した表布２１２と裏布２１３とが縫着されて一体化された介護用移動マット２１０の主体部分としての筒状マット２１１の構成、およびその筒状マット２１１の外周面側に接合されるマット回転および吊下げ用ベルトの構成を示している。なお、本実施形態では、３本のベルト２１４，２２０，２２６が筒状マット２１１の軸方向に沿って同軸上で間隔をあけて配設されている。
【００６３】
第１のベルト２１４は筒状マット２１１における要介護者の頚部を支持する高さ部位に配置されるものであり、高引張り強度を有する材料、例えば綿を素材としており、要介護者の重量を十分に支持できる強度をもつ幅および厚さの平坦な角帯状に構成されている。この第１のベルト２１４は、長さ方向の両先端側をそれぞれ略１／４長さ部位で折り返すことにより、平坦面が同一となる形状の平行な２本構成とされている。これにより、一方のベルト部分は１本の長尺部２１５とされ、この長尺部２１５の一端側の端部２１６で折り返された他方のベルト部分は、長尺部２１５の１／２長さの第１短尺部２１７とされ、さらに長尺部２１５の他端側の端部２１８で折り返された反対側のベルト部分も、長尺部２１５の１／２長さの第１短尺部２１９とされている。また、ベルト２１４の一方の端部２１６は、長尺部２１５と短尺部２１７との平坦面を一致させる状態でループ状に折曲げられている。この折曲げにより、端部２１６のループ状の平坦面が長尺部２１５および短尺部２１７の平坦面に対して略直角に捩れた平坦面となっている。この捩れた端部２１６のループ状の平坦面には、ベルト２１４の長さ方向に沿う引張り力を付与する場合に、補助者の手を挿入して把持する面が引張り方向に直交する状態であるため把持作用が具合よく行われる。同様に、ベルト２１４の他方の端部２１８も長尺部２１５と短尺部２１８との平坦面を一致させる状態でループ状に折曲げられている。この折曲げにより、端部１８のループ状の平坦面が長尺部２１５および短尺部２１８の平坦面に対して略直角に捩れた平坦面となっている。この捩れた端部２１８のループ状の平坦面には、ベルト２１４の長さ方向に沿う引張り力を付与する場合に、補助者の手を挿入して把持する面が引張り方向に直交する状態であるため把持作用が具合よく行われる。
【００６４】
第２のベルト２２０は筒状マット２１１における要介護者の腰部上方を支持する高さ部位に配置されるものであり、第１のベルト２１４と同様に高引張り強度を有する材料、例えば綿を素材としており、要介護者５０の重量を十分に支持できる強度をもつ幅および厚さの平坦な角帯状に構成されている。この第２のベルト２２０も、長さ方向の両先端側をそれぞれ略１／４長さ部位で折り返すことにより、平坦面が同一となる形状の平行な２本構成とされている。これにより、一方のベルト部分は１本の長尺部２２１とされ、この長尺部２２１の一端側の端部２２２で折り返された他方のベルト部分は、長尺部２２１の１／２長さの第１短尺部２２３とされ、さらに長尺部２２１の他端側の端部２２４で折り返された反対側のベルト部分も、長尺部２２１の１／２長さの第２短尺部２２５とされている。また、ベルト２２０の一方の端部２２２は、長尺部２２１と短尺部２２３との平坦面を一致させる状態でループ状に折曲げられている。この折曲げにより、端部２２４のループ状の平坦面が長尺部２２１および短尺部２２５の平坦面に対して略直角に捩れた平坦面となっている。この捩れた端部２２４のループ状の平坦面には、ベルト２２０の長さ方向に沿う引張り力を付与する場合に、補助者の手を挿入して把持する面が引張り方向に直交する状態であるため把持作用が具合よく行われる。この捩れた端部２２４のループ状の平坦面には、ベルト２２０の長さ方向に沿う引張り力を付与する場合に、補助者の手を挿入して
第３のベルト２２６は筒状マット２１１における要介護者の膝部を支持する高さ部位に配置されるものであり、第１のベルト２１４および第２のベルト２２０と同様に高引張り強度を有する材料、例えば綿を素材としており、要介護者５０の重量を十分に支持できる強度をもつ幅および厚さの平坦な角帯状に構成されている。この第３のベルト２２６も、長さ方向の両先端側をそれぞれ略１／４長さ部位で折り返すことにより、平坦面が同一となる形状の平行な２本構成とされている。これにより、一方のベルト部分は１本の長尺部２２７とされ、この長尺部２２７の一端側の端部２２８で折り返された他方のベルト部分は、長尺部２２７の１／２長さの第１短尺部２２９とされ、さらに長尺部２２７の他端側の端部２３０で折り返された反対側のベルト部分も、長尺部２２６の１／２長さの第１短尺部２３１とされている。また、ベルト２２６の一方の端部２２８は、長尺部２２７と短尺部２２９との平坦面を一致させる状態でループ状に折曲げられている。この折曲げにより、端部２３０のループ状の平坦面が長尺部２２７および短尺部２３１の平坦面に対して略直角に捩れた平坦面となっている。この捩れた端部２３０のループ状の平坦面には、ベルト２２０の長さ方向に沿う引張り力を付与する場合に、補助者の手を挿入して把持する面が引張り方向に直交する状態であるため把持作用が具合よく行われる。この捩れた端部２３０のループ状の平坦面には、ベルト２２６の長さ方向に沿う引張り力を付与する場合に、補助者の手を挿入して把持する面が引張り方向に直交する状態であるため把持作用が具合よく行われる。
【００６５】
図１６および図１７は、第１ないし第３のベルト２１４、２２０，２２６を筒状マット２１１に取付けた構成を示し、図１８は、図１６のＤ−Ｄ断面を示している。これらの図に示すように、第１のベル２１４においては、長尺部２１５の長さ方向略１／３毎に位置する２ヶ所の部分が、筒状マット２１１の表布２１２側に接合部２３２，２３３として縫着されている。また、この第１のベルト２１４の一方の短尺部２１７においても、長尺部２１５の長さ方向略１／３に位置する１ヶ所の部分と先端部とが接合部２３４，２３５として縫着されている。また、第１のベルト２１４の他方の短尺部２１９においても、長尺部２１５の長さ方向略１／３に位置する１ヶ所の部分と先端部とを接合部２３６，２３７として縫着されている。
【００６６】
また、第２のベルト２２０においても、第１のベルト２１４と同様に長尺部２２１の長さ方向略１／３毎に位置する２ヶ所の部分が、筒状マット２１１の表布２１２側に接合部２３８，２３９として縫着されている。また、この第２のベルト２２０の一方の短尺部２２３においても、長尺部２２１の長さ方向略１／３に位置する１ヶ所の部分と先端部とが接合部２４０，２４１として縫着されている。また、第２のベルト２２０の他方の短尺部２２５においても、長尺部２２１の長さ方向略１／３に位置する１ヶ所の部分と先端部とを接合部２４２，２４３として縫着されている。
【００６７】
さらに、第３のベルト２６においても、第１、第２のベルト２１４、２２０と平行に、長尺部２２７の長さ方向略１／３毎に位置する２ヶ所の部分が、筒状マット２１１の表布２１２側に接合部２４４，２４５として縫着されている。また、この第３のベルト２２６の一方の短尺部２２９においても、長尺部２２７の長さ方向略１／３に位置する１ヶ所の部分と先端部とが接合部２４６，２４７として縫着されている。また、第３のベルト２２６の他方の短尺部２３１においても、長尺２２７の長さ方向略１／３に位置する１ヶ所の部分と先端部とを接合部２４８，２４９として縫着されている。
【００６８】
また、筒状マット２１１の表布２５３の外周側に沿って、環状配置で複数点の連結部を有するマット回転用の補助ベルトが設けられている。
【００６９】
具体的には、図１７および図１８に示すように、第１のベルト２１４の開口部２５３側に第１の補助ベルト２７０が設けられている。この第１の補助ベルト２７０はベルト２１４と略同様の幅を有する帯状のものであり、筒状マット２１１の開口部２５３側に配置され、複数の連結点２７１によって筒状マット２１１に縫着接合され、例えばリボン状に筒状マット２１１の表面側に湾曲突出している。連結点２７１は、例えば筒状マット２１１の周辺に沿って間隔的に４点とされている。
【００７０】
第１のベルト２１４と第２のベルト２２０との中間位置には、第２の補助ベルト２７２が設けられている。この第２の補助ベルト２７２はベルト２１４、２２０と略同様の幅を有する帯状のものであり、複数の連結点２７３によって筒状マット２１１に縫着接合され、例えばリボン状に筒状マット２１１の表面側に湾曲突出している。連結点２７３は、例えば筒状マット２１１の周辺に沿って間隔的に４点とされている。
【００７１】
第２のベルト２２０と第３のベルト２２６との中間位置には、第３の補助ベルト２７４が設けられている。この第２の補助ベルト２７２はベルト２２０、２２６と略同様の幅を有する帯状のものであり、複数の連結点２７５によって筒状マット２１１に縫着接合され、例えばリボン状に筒状マット２１１の表面側に湾曲突出している。連結点２７５は、例えば筒状マット２１１の周辺に沿って間隔的に４点とされている。
【００７２】
第３のベルト２２６の開口部２５４側には、第４の補助ベルト２７６が設けられている。この第４の補助ベルト２７６はベルト２２６と略同様の幅を有する帯状のものであり、筒状マット２１１の開口部２５４側に配置され、複数の連結点２７７によって筒状マット２１１に縫着接合され、例えばリボン状に筒状マット２１１の表面側に湾曲突出している。連結点２７７は、例えば筒状マット２１１の周辺に沿って間隔的に４点とされている。
【００７３】
なお、図１７および図５は、筒状マット２１１を図１６および図４の状態から上下逆として示し、これらの図１７および図５により明確に示されるように、第１のベルト２１４の両端部側には、最も端部側に接近している接合部２３２，２３３，２３４，２３６から筒状マット２１１の側縁位置までの間に、このベルト２１４を端部側に引張った場合に、その引張り方向に向って筒状マット２１１が回転し得る十分な余裕が設定されている。第２のベルト２２０についても、その両端部側に、最も端部側に接近している接合部２３８，２３９，２４０，２４２から筒状マット２１１の側縁位置までの間に、このベルト２２０を端部側に引張った場合に、その引張り方向に向って筒状マット２１１が第１のベルト２１４と略同程度の回転がなし得る十分な余裕が設定されている。さらに、第３のベルト２２６についても、その両端部側に、最も端部側に接近している接合部２４４，２４５，２４６，２４８から筒状マット２１１の側縁位置までの間に、このベルト２２６を端部側に引張った場合に、その引張り方向に向って筒状マット２１１が第１，第２のベルト２１４，２２０と略同程度の回転がなし得る十分な余裕が設定されている。
【００７４】
さらに、各補助ベルト２７０，２７２，２７４，２７６は、筒状マット２１１の外周面側に複数箇所に亘って突出しているので、これらの補助ベルト２７０，２７２，２７４，２７６に手を掛けて、筒状マット２１１の回転を補助することができる。したがって、本実施形態においては、補助ベルト２７０，２７２，２７４，２７６を利用して、さらに筒状マットを容易に回転させることができる。
【００７５】
そして、図６に示したように、以上の構成を有する本実施形態による介護用移動マット２１０の筒状マット２１１に要介護者５０を載せて移動することができる。なお、この図６の例では補助者の図示を省略しているが、補助者は例えば３名により、第１のベルト２１４の両先端（把持部）２１６，２１８と、第２のベルト２２０の両先端（把持部）２２２，２２４と、第３のベルト２２６の両先端（把持部）２２８，２３０とを、それぞれ把持して、要介護者５０を載せて移動することができる。
【００７６】
図７は、例えば２名の補助者により、要介護者５０を筒状マット２１１に載せて移動する状態を例示している。この場合には、１名の補助者が第１のベルト２１４の両先端（把持部）２１６，２１８を把持し、他の１名の補助者が第３のベルト２２６の両先端（把持部）２２８，２３０を把持する。第１、第３のベルト２１４、２２６間に配置されている第２のベルト２２０は、上述したように第１、第３のベルト２１４、２２６よりも長い構成とし、かつ両先端（把持部）２２２，２２４をループ状に形成しているため、この図７に示すように、第２のベルト２２０の両先端（把持部）２２２，２２４のいずれかを他方に挿入する等、相互に上方にて係合止着することができる。
【００７７】
図８〜図１３は、ベッド５１のベッド床５２上から要介護者５０を他の場所に移動する場合の作用、および要介護者５０を他の場所からベッド床５２上に移動する場合の作用についての説明図である。
【００７８】
まず、要介護者５０をベッド床５２上から他の場所に移動する場合の作用について説明する。この場合には、ベッド床５２上に例えば仰臥位で横たわっている要介護者５０に対し、本実施形態の筒状マット２１１をベッド床５２と要介護者５０との間に挿入する必要がある。
【００７９】
この際、まず図４に示したように、ベルト２１４，２２０，２２６が筒状マット２１１の下方にある状態において、要介護者５０の頭部側が搭載される筒状マット１１の上部側（開口部５３側）から、脚部側が搭載される筒状マット２１１の下部側（開口部５４側）に向けて、この筒状マット２１１を下向きに巻回しておく。この場合、本実施形態の筒状マット２１１は表布２１２と裏布２１３との間に綿等のクッション材を挟持させてキルティング状に縫着した構成であることから、コンパクトな形に巻くことができる。そこで、この、コンパクトな巻回状態の筒状マット２１１を、初めに要介護者５０の膝下に挿入し、その後、筒状マット２１１の上部側をベッド床５２に沿って要介護者５０腰部へ、次に頚部へと、巻回状態を次第に解除しながら展開してゆく。また、筒状マット２１１の下部側は脚の方へと展開してゆく。以上の作用により、筒状マット２１１をベッド床５２と要介護者５０との間に挿入することができる。
【００８０】
図８および図９は、このような作用によって要介護者５０の下に筒状マット２１１を配置した状態を示している。本実施形態では、筒状マット２１１をコンパクトな形に巻くことができるので、要介護者５０の仰臥位を側臥位に転換する等の必要がない。したがって、要介護者５０に大幅な体位変更を必要とすることなく、要介護者５０を筒状マット２１１上に載せることができる。この後は、図６または図７に示したように、補助者５０が第１のベルト２１４、第２のベルト２２０および第３のベルト２２６等を把持して持上げることにより、要介護者５０を移動させることができる。したがって、最重度の要介護者等であっても容易かつ安全に横移動させることができ、しかもストレッチャ等を使用する必要なく看護人等の補助者によって要介護者５０をベッド等の外部に容易に、かつ安全に移動させることができる
一方、逆に外部からベッド５１のベッド床５２上に要介護者５０を移動させる場合には、図８および図９に示したように、要介護者５０が載ったまま、一旦筒状マット２１１をベッド５１上に置く。この場合、各ベルト２１４，２２０，２２６が筒状マット２１１の下方にある状態とすることが望ましい。そして、補助者５０は筒状マット２１１の一側方（同一方向）に配置している片側のベルト２１４、２２０および２２６を把持して、筒状マット２１１の外側に引張る。これにより、筒状マット２１１が下側部分を引寄せる方向に向って回転するので、図１０および図１１に示すように、筒状マット２１１が各ベルト２１４、２２０、２２６の引寄せ端部側に移動する。この場合、本実施形態では筒状マット２１１の裏布２１３が高滑性の滑り易い材料、例えばナイロンにより構成されているので、筒状マット２１１が扁平に変形した状態でも裏布２１３同士の重合面の摩擦抵抗が小さく、容易に回転させることができる。そして、本実施形態では、筒状マット２１１の回転引き抜き方向と反対側の縁部が要介護者５０の身体の略中央部位まで達するので、その後は筒状マット２１１を容易に引き抜いて、図１２および図１３に示すように、外部に取外すことができる。さらに、本実施形態では、筒状マット２１１の表布２１３の外周側に沿って、環状配置で複数点の連結部を有するマット回転用の補助ベルト２７０，２７２，２７４，２７６を設けたことにより、これらの補助ベルト２７０，２７２，２７４，２７６を介して筒状マット２１１の回転をさらに確実に行えるとともに、一層容易に回転させることができるようになる。
［第４実施形態（図１９〜図２１）
本実施形態では、筒状マットの表布の外周側に、ベルトと略平行に、一点の連結部を有するベルト回転用の補助ベルトを設けた介護用移動マットについて説明する。なお、本実施形態の説明には主として図１９〜図２１図を参照するが、関連する構成については図１〜図１３も参照する。図１〜図１３を参照本する場合には、これらの図に示した数字に「２００」を加えた数字を使用する。
【００８１】
図１９（図１参照）に示すように、筒状マット３１１は、その外周面側を構成する矩形状の表布３１２を有する。この表布３１２の縦寸法ｙ１は、人間の大人の背丈以上とされ、横幅ｘ１は、二重に折り畳んだ状態で大人の体幅を下方から両側方に十分包みこむことができる幅に設定されている。この表布３１２は、大人の体重を十分に支持することができるように、引張り荷重、摩擦等に対する高強度を有する十分に丈夫な材料、例えばポリエステルにより構成されている。また、筒状マット３１１は、その内周面側に設けられる矩形状の裏布３１３を有している。この裏布３１３は表布３１２と周縁を一致させて重合し得る同一形状、同一面積とされており、この裏布３１３は、滑り易い高滑性材料、例えばナイロンにより構成されている。  表布３１２と裏布３１３とは、これらの間に図示省略の綿等のクッション材を挟持させて例えばキルティング状に縫着されて１枚のシートに構成された後、幅方向両端が縫合され、軸方向両端が開口する筒状に形成される。これにより、柔軟かつ弾性のある緩衝機能付きの筒状マットとしての内外壁が構成される。このように、裏布３１３が表布３１２との縫合によって筒状に構成され、使用時に筒状マット３１１が扁平形状に変形し、その上に荷重がかかった状態でスライドする場合には、裏布３１３同士が重合し、摺動する。本実施形態では、裏布３１３を滑りのよいナイロンで構成することにより摺動抵抗を低減し、相互に滑り易い構成となっている。
【００８２】
図１４（図２参照）は、図１に示した表布３１２と裏布３１３とが縫着されて一体化された介護用移動マット３１０の主体部分としての筒状マット３１１の構成、およびその筒状マット３１１の外周面側に接合されるマット回転および吊下げ用ベルトの構成を示している。なお、本実施形態では、３本のベルト３１４，３２０，３２６が筒状マット３１１の軸方向に沿って同軸上で間隔をあけて配設されている。
【００８３】
第１のベルト３１４は筒状マット３１１における要介護者の頚部を支持する高さ部位に配置されるものであり、高引張り強度を有する材料、例えば綿を素材としており、要介護者の重量を十分に支持できる強度をもつ幅および厚さの平坦な角帯状に構成されている。この第１のベルト３１４は、長さ方向の両先端側をそれぞれ略１／４長さ部位で折り返すことにより、平坦面が同一となる形状の平行な２本構成とされている。これにより、一方のベルト部分は１本の長尺部３１５とされ、この長尺部３１５の一端側の端部３１６で折り返された他方のベルト部分は、長尺部３１５の１／２長さの第１短尺部３１７とされ、さらに長尺部３１５の他端側の端部３１８で折り返された反対側のベルト部分も、長尺部３１５の１／２長さの第１短尺部３１９とされている。また、ベルト３１４の一方の端部３１６は、長尺部３１５と短尺部３１７との平坦面を一致させる状態でループ状に折曲げられている。この折曲げにより、端部３１６のループ状の平坦面が長尺部３１５および短尺部３１７の平坦面に対して略直角に捩れた平坦面となっている。この捩れた端部３１６のループ状の平坦面には、ベルト３１４の長さ方向に沿う引張り力を付与する場合に、補助者の手を挿入して把持する面が引張り方向に直交する状態であるため把持作用が具合よく行われる。同様に、ベルト３１４の他方の端部３１８も長尺部３１５と短尺部３１８との平坦面を一致させる状態でループ状に折曲げられている。この折曲げにより、端部１８のループ状の平坦面が長尺部３１５および短尺部３１８の平坦面に対して略直角に捩れた平坦面となっている。この捩れた端部３１８のループ状の平坦面には、ベルト３１４の長さ方向に沿う引張り力を付与する場合に、補助者の手を挿入して把持する面が引張り方向に直交する状態であるため把持作用が具合よく行われる。
【００８４】
第２のベルト３２０は筒状マット３１１における要介護者の腰部上方を支持する高さ部位に配置されるものであり、第１のベルト３１４と同様に高引張り強度を有する材料、例えば綿を素材としており、要介護者の重量を十分に支持できる強度をもつ幅および厚さの平坦な角帯状に構成されている。この第２のベルト３２０も、長さ方向の両先端側をそれぞれ略１／４長さ部位で折り返すことにより、平坦面が同一となる形状の平行な２本構成とされている。これにより、一方のベルト部分は１本の長尺部３３１とされ、この長尺部３３１の一端側の端部３２２で折り返された他方のベルト部分は、長尺部３３１の１／２長さの第１短尺部３２３とされ、さらに長尺部３２１の他端側の端部３２４で折り返された反対側のベルト部分も、長尺部３２１の１／２長さの第２短尺部３２５とされている。また、ベルト３２０の一方の端部３２２は、長尺部３２１と短尺部３２３との平坦面を一致させる状態でループ状に折曲げられている。この折曲げにより、端部３２４のループ状の平坦面が長尺部３２１および短尺部３２５の平坦面に対して略直角に捩れた平坦面となっている。この捩れた端部３２４のループ状の平坦面には、ベルト３２０の長さ方向に沿う引張り力を付与する場合に、補助者の手を挿入して把持する面が引張り方向に直交する状態であるため把持作用が具合よく行われる。この捩れた端部３２４のループ状の平坦面には、ベルト３２０の長さ方向に沿う引張り力を付与する場合に、補助者の手を挿入して
第３のベルト３２６は筒状マット３１１における要介護者の膝部を支持する高さ部位に配置されるものであり、第１のベルト３１４および第２のベルト３２０と同様に高引張り強度を有する材料、例えば綿を素材としており、要介護者の重量を十分に支持できる強度をもつ幅および厚さの平坦な角帯状に構成されている。この第３のベルト３２６も、長さ方向の両先端側をそれぞれ略１／４長さ部位で折り返すことにより、平坦面が同一となる形状の平行な２本構成とされている。これにより、一方のベルト部分は１本の長尺部３２７とされ、この長尺部３２７の一端側の端部３２８で折り返された他方のベルト部分は、長尺部３２７の１／２長さの第１短尺部３２９とされ、さらに長尺部３２７の他端側の端部２３０で折り返された反対側のベルト部分も、長尺部３２６の１／２長さの第１短尺部３３１とされている。また、ベルト３２６の一方の端部３２８は、長尺部３２７と短尺部２２９との平坦面を一致させる状態でループ状に折曲げられている。この折曲げにより、端部３３０のループ状の平坦面が長尺部３２７および短尺部３３１の平坦面に対して略直角に捩れた平坦面となっている。この捩れた端部３３０のループ状の平坦面には、ベルト３２０の長さ方向に沿う引張り力を付与する場合に、補助者の手を挿入して把持する面が引張り方向に直交する状態であるため把持作用が具合よく行われる。この捩れた端部３３０のループ状の平坦面には、ベルト３２６の長さ方向に沿う引張り力を付与する場合に、補助者の手を挿入して把持する面が引張り方向に直交する状態であるため把持作用が具合よく行われる。
【００８５】
図１９および図２０は、第１ないし第３のベルト３１４、３２０，３２６を筒状マット３１１に取付けた構成を示し、図２１は、図１９のＥ−Ｅ断面を示している。これらの図に示すように、第１のベルト３１４においては、長尺部３１５の長さ方向略１／３毎に位置する２ヶ所の部分が、筒状マット３１１の表布３１２側に接合部３３２，３３３として縫着されている。また、この第１のベルト３１４の一方の短尺部３１７においても、長尺部３１５の長さ方向略１／３に位置する１ヶ所の部分と先端部とが接合部３３４，３３５として縫着されている。また、第１のベルト３１４の他方の短尺部３１９においても、長尺部３１５の長さ方向略１／３に位置する１ヶ所の部分と先端部とを接合部３３６，３３７として縫着されている。
【００８６】
また、第２のベルト３２０においても、第１のベルト２１４と同様に長尺部３２１の長さ方向略１／３毎に位置する２ヶ所の部分が、筒状マット３１１の表布３１２側に接合部３３８，３３９として縫着されている。また、この第２のベルト３２０の一方の短尺部３２３においても、長尺部３２１の長さ方向略１／３に位置する１ヶ所の部分と先端部とが接合部３４０，３４１として縫着されている。また、第２のベルト３２０の他方の短尺部３２５においても、長尺部３２１の長さ方向略１／３に位置する１ヶ所の部分と先端部とを接合部３４２，３４３として縫着されている。
【００８７】
さらに、第３のベルト３２６においても、第１、第２のベルト３１４、３２０と平行に、同様に長尺部３２７の長さ方向略１／３毎に位置する２ヶ所の部分が、筒状マット３１１の表布３１２側に接合部３４４，３４５として縫着されている。また、この第３のベルト３２６の一方の短尺部３２９においても、長尺部３２７の長さ方向略１／３に位置する１ヶ所の部分と先端部とが接合部３４６，３４７として縫着されている。また、第３のベルト３２６の他方の短尺部３３１においても、長尺３２７の長さ方向略１／３に位置する１ヶ所の部分と先端部とを接合部３４８，３４９として縫着されている。
【００８８】
また、筒状マット３１１の表布３５３の外周側に沿って、ベルトと略平行に、一点の連結部を有するベルト回転用の紐状の補助ベルトが設けられている。
【００８９】
具体的には、図１９および図２０および図２１に示すように、第１のベルト３１４の開口部３５３側に第１の補助ベルト３８０が設けられている。この第１の補助ベルト３８０はベルト３１４と略同様の幅を有する帯状のものであり、中央部を一の連結点３８３によって筒状マット３１１に縫着接合され、両端はマット３１１の表面側に第１のベルト３１４と平行に、かつ略同一長さで突出している。
【００９０】
また、第２のベルト３２４の第３ベルト３２４側には、第２の補助ベルト３８５が設けられている。この第２の補助ベルト３８５は第２のベルト３２４と略同様の幅を有する帯状のものであり、中央部を一の連結点３８７によって筒状マット３１１に縫着接合され、両端はマット３１１の表面側に第２のベルト３２４と平行に、かつ略同一長さで突出している。
【００９１】
さらに、第３のベルト３２４の開口部３５４側には、第３の補助ベルト３８８が設けられている。この第３の補助ベルト３８８は第３のベルト３２６と略同様の幅を有する帯状のものであり、中央部を一の連結点３９１によって筒状マット３１１に縫着接合され、両端はマット３１１の表面側に第３のベルト３３０と平行に、かつ略同一長さで突出している。
【００９２】
なお、図１９および図５は、筒状マット３１１を図１６および図４の状態から上下逆として示している。これらの図１９および図５により明確に示されるように、第１のベルト３１４の両端部側には、最も端部側に接近している接合部３３２，３３３，３３４から筒状マット３１１の側縁位置までの間に、このベルト３１４を端部側に引張った場合に、その引張り方向に向って筒状マット３１１が回転し得る十分な余裕が設定されている。第２のベルト３２０についても、その両端部側に、最も端部側に接近している接合部３３８，３３９，３４０，３４２から筒状マット３１１の側縁位置までの間に、このベルト３２０を端部側に引張った場合に、その引張り方向に向って筒状マット３１１が第１のベルト３１４と略同程度の回転がなし得る十分な余裕が設定されている。さらに、第３のベルト３２６についても、その両端部側に、最も端部側に接近している接合部３４４，３４５，３４６，３４８から筒状マット３１１の側縁位置までの間に、このベルト３２６を端部側に引張った場合に、その引張り方向に向って筒状マット３１１が第１，第２のベルト３１４，３２０と略同程度の回転がなし得る十分な余裕が設定されている。
【００９３】
さらに、各補助ベルト３７０，３７２，３７４，３７６は、筒状マット３１１の外周面側に複数箇所に亘って突出しているので、これらの補助ベルト２７０，２７２，３７４，３７６に手を掛けて、筒状マット３１１の回転を補助することができる。したがって、本実施形態においては、補助ベルト３７０，３７２，３７４，３７６を利用して、さらに筒状マットを容易に回転させることができる。
【００９４】
そして、図６に示したように、以上の構成を有する本実施形態による介護用移動マット２１０の筒状マット３１１に要介護者５０を載せて移動することができる。なお、この図６の例では補助者の図示を省略しているが、補助者は例えば３名により、第１のベルト３１４の両先端（把持部）３１６，３１８と、第２のベルト３２０の両先端（把持部）３２２，３２４と、第３のベルト３２６の両先端（把持部）３２８，３３０とを、それぞれ把持して、要介護者５０を載せて移動することができる。
【００９５】
図７は、例えば２名の補助者により、要介護者５０を筒状マット３１１に載せて移動する状態を例示している。この場合には、１名の補助者が第１のベルト２１４の両先端（把持部３１６，３１８を把持し、他の１名の補助者が第３のベルト３２６の両先端（把持部）３２８，３３０を把持する。第１、第３のベルト３１４、３２６間に配置されている第２のベルト３２０は、上述したように第１、第３のベルト３１４、３２６よりも長い構成とし、かつ両先端（把持部）３２２，３２４をループ状に形成しているため、この図７に示すように、第２のベルト３２０の両先端（把持部）３２２，３２４のいずれかを他方に挿入する等、相互に上方にて係合止着することができる。
【００９６】
図８〜図１３は、ベッド５１のベッド床５２上から要介護者５０を他の場所に移動する場合の作用、および要介護者５０を他の場所からベッド床５２上に移動する場合の作用についての説明図である。
【００９７】
まず、要介護者５０をベッド床５２上から他の場所に移動する場合の作用について説明する。この場合には、ベッド床５２上に例えば仰臥位で横たわっている要介護者５０に対し、本実施形態の筒状マット３１１をベッド床５２と要介護者５０との間に挿入する必要がある。
【００９８】
この際、まず図４に示したように、ベルト３１４，３２０，３２６が筒状マット３１１の下方にある状態において、要介護者５０の頭部側が搭載される筒状マット３１１の上部側（開口部５３側）から、脚部側が搭載される筒状マット３１１の下部側（開口部３５４側）に向けて、この筒状マット３１１を下向きに巻回しておく。この場合、本実施形態の筒状マット３１１は表布３１２と裏布３１３との間に綿等のクッション材を挟持させてキルティング状に縫着した構成であることから、コンパクトな形に巻くことができる。そこで、この、コンパクトな巻回状態の筒状マット３１１を、初めに要介護者５０の膝下に挿入し、その後、筒状マット３１１の上部側をベッド床５２に沿って要介護者５０の腰部へ、次に頚部へと、巻回状態を次第に解除しながら展開してゆく。また、筒状マット３１１の下部側は脚の方へと展開してゆく。以上の作用により、筒状マット３１１をベッド床５２と要介護者５０との間に挿入することができる。
【００９９】
図８および図９は、このような作用によって要介護者５０の下に筒状マット３１１を配置した状態を示している。本実施形態では、筒状マット３１１をコンパクトな形に巻くことができるので、要介護者５０の仰臥位を側臥位に転換する等の必要がない。したがって、要介護者５０に大幅な体位変更を必要とすることなく、要介護者５０を筒状マット３１１上に載せることができる。この後は、図６または図７に示したように、補助者が第１のベルト３１４、第２のベルト３２０および第３のベルト３２６等を把持して持上げることにより、要介護者５０を移動させることができる。したがって、最重度の要介護者等であっても容易かつ安全に横移動させることができ、しかもストレッチャ等を使用する必要なく看護人等の補助者によって要介護者５０をベッド等の外部に容易に、かつ安全に移動させることができる
一方、逆に外部からベッド５１のベッド床５２上に要介護者５０を移動させる場合には、図８および図９に示したように、要介護者５０が載ったまま、一旦筒状マット３１１をベッド５１上に置く。この場合、各ベルト３１４，３２０，３２６が筒状マット３１１の下方にある状態とすることが望ましい。そして、補助者は筒状マット３１１の一側方（同一方向）に配置している片側のベルト３１４、３２０および３２６を把持して、筒状マット３１１の外側に引張る。これにより、筒状マット３１１が下側部分を引寄せる方向に向って回転するので、図１０および図１１に示すように、筒状マット３１１が各ベルト３１４、３２０、３２６の引寄せ端部側に移動する。この場合、本実施形態では筒状マット３１１の裏布３１３が高滑性の滑り易い材料、例えばナイロンにより構成されているので、筒状マット３１１が扁平に変形した状態でも裏布３１３同士の重合面の摩擦抵抗小さく、容易に回転させることができる。そして、本実施形態では、筒状マット３１１の回転引き抜き方向と反対側の縁部が要介護者５０の身体の略中央部位まで達するので、その後は筒状マット３１１を容易に引き抜いて、図１２および図１３に示すように、外部に取外すことができる。
【０１００】
しかも、筒状マット３１１の表布３１２の外周側に沿って、ベルト３１４，３２４，３２６と略平行に、一点の連結部を有するベルト回転用の紐状の補助ベルト３８０，３８５，３８８を設けたことにより、これらの補助ベルト３８０，３８５，３８８を介して筒状マット３１１の回転をさらに確実に行えるとともに、一層容易に回転させることができるようになる。
［第５実施形態（図１〜図１５、図２２〜図２４）
本実施形態では、ベルトと直交する方向に沿い、筒状マットの表布に複数点の連結部を有するマット回転補助用の補助ベルトが設けられている介護用移動マットについて説明する。なお、図１〜図１３で使用した符号に関しては、第１実施形態の説明における数字に「４００」を加えた形で説明する。
【０１０１】
図１９（図１参照）に示すように、筒状マット４１１は、その外周面側を構成する矩形状の表布４１２を有する。この表布４１２の縦寸法ｙ１は、人間の大人の背丈以上とされ、横幅ｘ１は、二重に折り畳んだ状態で大人の体幅を下方から両側方に十分包みこむことができる幅に設定されている。この表布４１２は、大人の体重を十分に支持することができるように、引張り荷重、摩擦等に対する高強度を有する十分に丈夫な材料、例えばポリエステルにより構成されている。また、筒状マット４１１は、その内周面側に設けられる矩形状の裏布４１３を有している。この裏布４１３は表布４１２と周縁を一致させて重合し得る同一形状、同一面積とされており、この裏布４１３は、滑り易い高滑性材料、例えばナイロンにより構成されている。  表布４１２と裏布４１３とは、これらの間に図示省略の綿等のクッション材を挟持させて例えばキルティング状に縫着されて１枚のシートに構成された後、幅方向両端が縫合され、軸方向両端が開口する筒状に形成される。これにより、柔軟かつ弾性のある緩衝機能付きの筒状マットとしての内外壁が構成される。このように、裏布４１３が表布４１２との縫合によって筒状に構成され、使用時に筒状マット４１１が扁平形状に変形し、その上に荷重がかかった状態でスライドする場合には、裏布４１３同士が重合し、摺動する。本実施形態では、裏布４１３を滑りのよいナイロンで構成することにより摺動抵抗を低減し、相互に滑り易い構成となっている。
【０１０２】
図１４（図２参照）は、図１に示した表布４１２と裏布４１３とが縫着されて一体化された介護用移動マット４１０の主体部分としての筒状マット４１１の構成、およびその筒状マット４１１の外周面側に接合されるマット回転および吊下げ用ベルトの構成を示している。なお、本実施形態では、３本のベルト４１４，４２０，４２６が筒状マット４１１の軸方向に沿って同軸上で間隔をあけて配設されている。
【０１０３】
第１のベルト４１４は筒状マット４１１における要介護者の頚部を支持する高さ部位に配置されるものであり、高引張り強度を有する材料、例えば綿を素材としており、要介護者の重量を十分に支持できる強度をもつ幅および厚さの平坦な角帯状に構成されている。この第１のベルト４１４は、長さ方向の両先端側をそれぞれ略１／４長さ部位で折り返すことにより、平坦面が同一となる形状の平行な２本構成とされている。これにより、一方のベルト部分は１本の長尺部４１５とされ、この長尺部４１５の一端側の端部４１６で折り返された他方のベルト部分は、長尺部４１５の１／２長さの第１短尺部４１７とされ、さらに長尺部４１５の他端側の端部４１８で折り返された反対側のベルト部分も、長尺部４１５の１／２長さの第１短尺部４１９とされている。また、ベルト４１４の一方の端部４１６は、長尺部４１５と短尺部４１７との平坦面を一致させる状態でループ状に折曲げられている。この折曲げにより、端部４１６のループ状の平坦面が長尺部４１５および短尺部４１７の平坦面に対して略直角に捩れた平坦面となっている。この捩れた端部４１６のループ状の平坦面には、ベルト４１４の長さ方向に沿う引張り力を付与する場合に、補助者の手を挿入して把持する面が引張り方向に直交する状態であるため把持作用が具合よく行われる。同様に、ベルト４１４の他方の端部４１８も長尺部４１５と短尺部４１８との平坦面を一致させる状態でループ状に折曲げられている。この折曲げにより、端部１８のループ状の平坦面が長尺部４１５および短尺部４１８の平坦面に対して略直角に捩れた平坦面となっている。この捩れた端部４１８のループ状の平坦面には、ベルト４１４の長さ方向に沿う引張り力を付与する場合に、補助者の手を挿入して把持する面が引張り方向に直交する状態であるため把持作用が具合よく行われる。
【０１０４】
第２のベルト４２０は筒状マット４１１における要介護者の腰部上方を支持する高さ部位に配置されるものであり、第１のベルト４１４と同様に高引張り強度を有する材料、例えば綿を素材としており、要介護者の重量を十分に支持できる強度をもつ幅および厚さの平坦な角帯状に構成されている。この第２のベルト４２０も、長さ方向の両先端側をそれぞれ略１／４長さ部位で折り返すことにより、平坦面が同一となる形状の平行な２本構成とされている。これにより、一方のベルト部分は１本の長尺部４３１とされ、この長尺部２３１の一端側の端部４２２で折り返された他方のベルト部分は、長尺部４３１の１／２長さの第１短尺部４２３とされ、さらに長尺部４２１の他端側の端部４２４で折り返された反対側のベルト部分も、長尺部４２１の１／２長さの第２短尺部４２５とされている。また、ベルト４２０の一方の端部４２２は、長尺部４２１と短尺部４２３との平坦面を一致させる状態でループ状に折曲げられている。この折曲げにより、端部４２４のループ状の平坦面が長尺部４２１および短尺部４２５の平坦面に対して略直角に捩れた平坦面となっている。この捩れた端部４２４のループ状の平坦面には、ベルト４２０の長さ方向に沿う引張り力を付与する場合に、補助者の手を挿入して把持する面が引張り方向に直交する状態であるため把持作用が具合よく行われる。この捩れた端部４２４のループ状の平坦面には、ベルト４２０の長さ方向に沿う引張り力を付与する場合に、補助者の手を挿入して
第３のベルト４２６は筒状マット２１１における要介護者の膝部を支持する高さ部位に配置されるものであり、第１のベルト２１４および第２のベルト４２０と同様に高引張り強度を有する材料、例えば綿を素材としており、要介護者の重量を十分に支持できる強度をもつ幅および厚さの平坦な角帯状に構成されている。この第３のベルト４２６も、長さ方向の両先端側をそれぞれ略１／４長さ部位で折り返すことにより、平坦面が同一となる形状の平行な２本構成とされている。これにより、一方のベルト部分は１本の長尺部４２７とされ、この長尺部４２７の一端側の端部４２８で折り返された他方のベルト部分は、長尺部４２７の１／２長さの第１短尺部４２９とされ、さらに長尺部４２７の他端側の端部２３０で折り返された反対側のベルト部分も、長尺部４２６の１／２長さの第１短尺部４３１とされている。また、ベルト４２６の一方の端部４２８は、長尺部４２７と短尺部４２９との平坦面を一致させる状態でループ状に折曲げられている。この折曲げにより、端部４３０のループ状の平坦面が長尺部４２７および短尺部４３１の平坦面に対して略直角に捩れた平坦面となっている。この捩れた端部４３０のループ状の平坦面には、ベルト４２０の長さ方向に沿う引張り力を付与する場合に、補助者の手を挿入して把持する面が引張り方向に直交する状態であるため把持作用が具合よく行われる。この捩れた端部４３０のループ状の平坦面には、ベルト４２６の長さ方向に沿う引張り力を付与する場合に、補助者の手を挿入して把持する面が引張り方向に直交する状態であるため把持作用が具合よく行われる。
【０１０５】
図１９および図２０は、第１ないし第３のベルト４１４、４２０，４２６を筒状マット４１１に取付けた構成を示し、図２１は、図１９のＥ−Ｅ断面を示している。これらの図に示すように、第１のベル４１４においては、長尺部４１５の長さ方向略１／３毎に位置する２ヶ所の部分が、筒状マット４１１の表布４１２側に接合部４３２，４３３として縫着されている。また、この第１のベルト４１４の一方の短尺部４１７においても、長尺部４１５の長さ方向略１／３に位置する１ヶ所の部分と先端部とが接合部４３４，４３５として縫着されている。また、第１のベルト４１４の他方の短尺部４１９においても、長尺部４１５の長さ方向略１／３に位置する１ヶ所の部分と先端部とを接合部４３６，４３７として縫着されている。
【０１０６】
また、第２のベルト４２０においても、第１のベルト４１４と同様に長尺部４２１の長さ方向略１／３毎に位置する２ヶ所の部分が、筒状マット４１１の表布４１２側に接合部４３８，４３９として縫着されている。また、この第２のベルト４２０の一方の短尺部４２３においても、長尺部４２１の長さ方向略１／３に位置する１ヶ所の部分と先端部とが接合部４４０，４４１として縫着されている。また、第２のベルト４２０の他方の短尺部４２５においても、長尺部４２１の長さ方向略１／３に位置する１ヶ所の部分と先端部とを接合部４４２，４４３として縫着されている。
【０１０７】
さらに、第３のベルト４２６においても、第１、第２のベルト４１４、４２０と平行に、同様に長尺部４２７の長さ方向略１／３毎に位置する２ヶ所の部分が、筒状マット４１１の表布４１２側に接合部４４４，４４５として縫着されている。また、この第３のベルト４２６の一方の短尺部４２９においても、長尺部４２７の長さ方向略１／３に位置する１ヶ所の部分と先端部とが接合部４４６，４４７として縫着されている。また、第３のベルト４２６の他方の短尺部４３１においても、長尺４２７の長さ方向略１／３に位置する１ヶ所の部分と先端部とを接合部４４８，４４９として縫着されている。
【０１０８】
また、筒状マット４１１の表布４５３の外周側に沿って、ベルトと直交する方向に、複数点の連結部を有するベルト回転用の紐状の補助ベルトが設けられている。
【０１０９】
具体的には、図２２、図２３および図２４に示すように、第１のベルト４１４の開口部４５３側、第１のベルト４１４を超える位置、第１のベルト４１４と第２のベルト４２４との間、第２のベルト４２４を超える位置、第２のベルト４２４と第３のベルト４２６との間、および第３のベルト４２６を超える位置、および第３のベルト４２６の開口部４５４側に、１本のリボン状のマット回転補助用の補助ベルト４９２が設けられている。
【０１１０】
なお、図２３および図５は、筒状マット４１１を図１６および図４の状態から上下逆として示し、これらの図１９および図５により明確に示されるように、第１のベルト４１４の両端部側には、最も端部側に接近している接合部４３２，４３３，４３４から筒状マット４１１の側縁位置までの間に、このベルト４１４を端部側に引張った場合に、その引張り方向に向って筒状マット４１１が回転し得る十分な余裕が設定されている。第２のベルト４２０についても、その両端部側に、最も端部側に接近している接合部４３８，４３９，４４０，４４２から筒状マット４１１の側縁位置までの間に、このベルト４２０を端部側に引張った場合に、その引張り方向に向って筒状マット４１１が第１のベルト４１４と略同程度の回転がなし得る十分な余裕が設定されている。さらに、第３のベルト４２６についても、その両端部側に、最も端部側に接近している接合部４４４，４４５，４４６，４４８から筒状マット４１１の側縁位置までの間に、このベルト４２６を端部側に引張った場合に、その引張り方向に向って筒状マット４１１が第１，第２のベルト４１４，４２０と略同程度の回転がなし得る十分な余裕が設定されている。
【０１１１】
さらに、各補助ベルト４７０，４７２，４７４，４７６は、筒状マット４１１の外周面側に複数箇所に亘って突出しているので、これらの補助ベルト４７０，４７２，４７４，４７６に手を掛けて、筒状マット４１１の回転を補助することができる。したがって、本実施形態においては、補助ベルト４７０，４７２，４７４，４７６を利用して、さらに筒状マットを容易に回転させることができる。
【０１１２】
そして、図６に示したように、以上の構成を有する本実施形態による介護用移動マット２１０の筒状マット４１１に要介護者５０を載せて移動することができる。なお、この図６の例では補助者の図示を省略しているが、補助者は例えば３名により、第１のベルト４１４の両先端（把持部）４１６，４１８と、第２のベルト４２０の両先端（把持部）４２２，４２４と、第３のベルト４２６の両先端（把持部）４２８，４３０とを、それぞれ把持して、要介護者５０を載せて移動することができる。
【０１１３】
図７は、例えば２名の補助者により、要介護者５０を筒状マット４１１に載せて移動する状態を例示している。この場合には、１名の補助者が第１のベルト２１４の両先端（把持部４１６，４１８を把持し、他の１名の補助者５０が第３のベルト４２６の両先端（把持部）４２８，４３０を把持する。第１、第３のベルト４１４、４２６間に配置されている第２のベルト４２０は、上述したように第１、第３のベルト４１４、４２６よりも長い構成とし、かつ両先端（把持部）４２２，４２４をループ状に形成しているため、この図７に示すように、第２のベルト４２０の両先端（把持部）４２２，４２４のいずれかを他方に挿入する等、相互に上方にて係合止着することができる。
【０１１４】
図８〜図１３は、ベッド５１のベッド床５２上から要介護者５０を他の場所に移動する場合の作用、および要介護者５０を他の場所からベッド床５２上に移動する場合の作用についての説明図である。
【０１１５】
まず、要介護者５０をベッド床５２上から他の場所に移動する場合の作用について説明する。この場合には、ベッド床５２上に例えば仰臥位で横たわっている要介護者５０に対し、本実施形態の筒状マット４１１をベッド床５２と要介護者５０との間に挿入する必要がある。
【０１１６】
この際、まず図４に示したように、ベルト４１４，４２０，４２６が筒状マット４１１の下方にある状態において、要介護者５０の頭部側が搭載される筒状マット４１１の上部側（開口部４５３側）から、脚部側が搭載される筒状マット４１１の下部側（開口部４５４側）に向けて、この筒状マット４１１を下向きに巻回しておく。この場合、本実施形態の筒状マット４１１は表布４１２と裏布４１３との間に綿等のクッション材を挟持させてキルティング状に縫着した構成であることから、コンパクトな形に巻くことができる。そこで、この、コンパクトな巻回状態の筒状マット４１１を、初めに要介護者５０の膝下に挿入し、その後、筒状マット４１１の上部側をベッド床５２に沿って要介護者５０の腰部へ、次に頚部へと、巻回状態を次第に解除しながら展開してゆく。また、筒状マット４１１の下部側は脚の方へと展開してゆく。以上の作用により、筒状マット４１１をベッド床５２と要介護者５０との間に挿入することができる。
【０１１７】
図８および図９は、このような作用によって要介護者５０の下に筒状マット４１１を配置した状態を示している。本実施形態では、筒状マット４１１をコンパクトな形に巻くことができるので、要介護者５０の仰臥位を側臥位に転換する等の必要がない。したがって、要介護者５０に大幅な体位変更を必要とすることなく、要介護者５０を筒状マット４１１上に載せることができる。この後は、図６または図７に示したように、補助者が第１のベルト４１４、第２のベルト４２０および第３のベルト４２６等を把持して持上げることにより、要介護者５０を移動させることができる。したがって、最重度の要介護者等であっても容易かつ安全に横移動させることができ、しかもストレッチャ等を使用する必要なく看護人等の補助者によって要介護者５０をベッド等の外部に容易に、かつ安全に移動させることができる
一方、逆に外部からベッド５１のベッド床５２上に要介護者５０を移動させる場合には、図８および図９に示したように、要介護者５０が載ったまま、一旦筒状マット４１１をベッド５１上に置く。この場合、各ベルト４１４，４２０，４２６が筒状マット４１１の下方にある状態とすることが望ましい。そして、補助者は筒状マット４１１の一側方（同一方向）に配置している片側のベルト４１４、４２０および４２６を把持して、筒状マット４１１の外側に引張る。これにより、筒状マット４１１が下側部分を引寄せる方向に向って回転するので、図１０および図１１に示すように、筒状マット４１１が各ベルト４１４、４２０、４２６の引寄せ端部側に移動する。この場合、本実施形態では筒状マット４１１の裏布４１３が高滑性の滑り易い材料、例えばナイロンにより構成されているので、筒状マット４１１が扁平に変形した状態でも裏布４１３同士の重合面の摩擦抵抗小さく、容易に回転させることができる。そして、本実施形態では、筒状マット４１１の回転引き抜き方向と反対側の縁部が要介護者５０の身体の略中央部位まで達するので、その後は筒状マット４１１を容易に引き抜いて、図１２および図１３に示すように、外部に取外すことができる。
【０１１８】
しかも、筒状マット４１１の表布３５３の外周側に、ベルトと直交する方向に、ベルト回転用の紐状の補助ベルト４９２を設けたことにより、この補助ベルト４９２を介して筒状マット４１１の回転をさらに確実に行えるとともに、一層容易に回転させることができるようになる。
【図面の簡単な説明】
【０１１９】
【図１】本発明の第１実施形態による介護用移動マットの素材を示す斜視図である。
【図２】本発明の第１実施形態による介護用移動マットの筒状マットおよびベルトを示す斜視図である。
【図３】本発明の第１実施形態による介護用移動マットの筒状マットにベルトを取付けた状態を示す斜視図である。
【図４】本発明の第１実施形態による介護用移動マットを表面側から見た状態を示す斜視図である。
【図５】本発明の第１実施形態による介護用移動マットを裏面側から見た状態を示す斜視図である。
【図６】本発明の第１実施形態による介護用移動マットの要看護者をマットに包み込んで搬送する状態を示す斜視図である。
【図７】本発明の第１実施形態による介護用移動マットの要看護者をマットに包み込んで搬送する状態を示す斜視図である。
【図８】本発明の第１実施形態による介護用移動マットの引出し作用の前状態を示す作用説明図である。
【図９】図８のＡ−Ａ線断面図である。
【図１０】本発明の第１実施形態による介護用移動マットの引出し作用の途中状態を示す作用説明図である。
【図１１】図１０のＢ−Ｂ線断面図である。
【図１２】本発明の第１実施形態による介護用移動マットを引出した状態を示す作用説明図である。
【図１３】図１２のＣ−Ｃ線断面図である。
【図１４】本発明の第２実施形態による介護用移動マットを表面側から見た状態を示す斜視図である。
【図１５】本発明の第２実施形態による介護用移動マットを裏面側から見た状態を示す斜視図である。
【図１６】本発明の第３実施形態による介護用移動マットを表面側から見た状態を示す斜視図である。
【図１７】本発明の第３実施形態による介護用移動マットを裏面側から見た状態を示す斜視図である。
【図１８】図
【０１２０】
１６のＤ−Ｄ線断面図である。
【図１９】本発明の第４実施形態による介護用移動マットを表面側から見た状態を示す斜視図である。
【図２０】本発明の第４実施形態による介護用移動マットを裏面側から見た状態を示す斜視図である。
【図２１】図１９のＥ−Ｅ線断面図である。
【図２２】本発明の第４実施形態による介護用移動マットを表面側から見た状態を示す斜視図である。
【図２３】本発明の第５実施形態による介護用移動マットを裏面側から見た状態を示す斜視図である。
【図２４】図１２２Ｆ−Ｆ線断面図である。
【符号の説明】
【０１２１】
１０  介護用移動マット
１１  筒状マット
１２  表布
１３  裏布
１４ベルト
１５  長尺部
１６  端部
１７  短尺部
１８  端部
１９  短尺部
２０  ベルト
２１  長尺部
２２  端部
２３  短尺部
２４  端部
２５  短尺部
２６  ベルト
２７  長尺部
２８  端部
２９  短尺部
３０  端部
３１  短尺部
３２〜４９  接合部
５０  要介護者
５１  ベッド
５２  ベッド床
５３  開口部
５４  開口部
１１０  介護用移動マット
１１１  筒状マット
１１２  表布
１１３  裏布
１１４ベルト
１１５  長尺部
１１６  端部
１１７  短尺部
１１８  端部
１１９  短尺部
１２０  ベルト
１２１  長尺部
１２２  端部
１２３  短尺部
１２４  端部
１２５  短尺部
１２６  ベルト
１２７  長尺部
１２８  端部
１２９  短尺部
１３０  端部
１３１  短尺部
１３２〜１４９  接合部
１６０ベルト
１６１  長尺部
１６２  端部
１６３  短尺部
１６４  端部
１６５  短尺部
１６６〜１７１  接合部
２１０  介護用移動マット
２１１  筒状マット
２１４ベルト
２１５  長尺部
２１６  端部
２１７  短尺部
２１８  端部
２１９  短尺部
２２０  ベルト
２２１  長尺部
２２２  端部
２２３  短尺部
２２４  端部
２２５  短尺部
２２６  ベルト
２２７  長尺部
２２８  端部
２２９  短尺部
２３０  端部
２５４  開口部
２５５  開口部
２７０  補助ベルト
２７１  接合部
２７２  補助ベルト
２７３  接合部
２７４  補助ベルト
２７５  接合部
２７６  補助ベルト
２７７  接合部
３１０  介護用移動マット
３１  筒状マット
３１４ベルト
３１６  端部
３１８  端部
３２０  ベルト
３２３  短尺部
３２４  端部
３２６  ベルト
３２７  長尺部
３２８  端部
３３０  端部
３５３  開口部
３５４  開口部
３８０  補助ベルト
３８１  一端側
３８２  他端側
３８３  接合部
３８４  補助ベルト
３８５  一端側
３８６  他端側
３８７  接合部
３８８  補助ベルト
３８９  一端側
３９１  接合部
４５３  開口部
４５４  開口部
４９２  補助ベルト
４９３  接合部
３９４  把持部
【図１】
2006181160.tif 000003
【図２】
2006181160.tif 000004
【図３】
2006181160.tif 000005
【図４】
2006181160.tif 000006
【図５】
2006181160.tif 000007
【図６】
2006181160.tif 000008
【図７】
2006181160.tif 000009
【図８】
2006181160.tif 000010
【図９】
2006181160.tif 000011
【図１０】
2006181160.tif 000012
【図１１】
2006181160.tif 000013
【図１２】
2006181160.tif 000014
【図１３】
2006181160.tif 000015
【図１４】
2006181160.tif 000016
【図１５】
2006181160.tif 000017
【図１６】
2006181160.tif 000018
【図１７】
2006181160.tif 000019
【図１８】
2006181160.tif 000020
【図１９】
2006181160.tif 000021
【図２０】
2006181160.tif 000022
【図２１】
2006181160.tif 000023
【図２２】
2006181160.tif 000024
【図２３】
2006181160.tif 000025
【図２４】
2006181160.tif 000026